(57)【特許請求の範囲】
【請求項１】
プライマシンにて、複数の一次原反ロールから巻きだした坪量１０〜２５ｇ/ｍ2のクレープ紙からなる一次連続シートを積層し、巻取って二次原反ロールを形成するプライ加工工程を行い、
ロータリー式インターフォルダにて、前記プライマシンにて形成した二次原反ロールから巻きだした二次連続シートを折り畳み、ティシュペーパー束を形成するティシュペーパー束製造工程を行う、ティシュペーパー製品の製造方法であって、
前記プライマシンで一次連続シートを積層した後、巻取るまでの間に積層連続シートに対してポリオールを主成分とし、水を１〜１５質量％含む水系薬液を塗布する一次薬液塗布工程を行い、
前記ロータリー式インターフォルダで、二次連続シートの巻き出しから折り畳み工程の直前までの間に二次連続シートの表裏両面に対してポリオールを主成分とし、水を１〜１５質量％含む水系薬液を塗布する二次薬液塗布工程を行ない、
一次薬液塗布工程と二次薬液塗布工程との薬液の合計塗布量を１．５〜５．０ｇ／ｍ2とし、一次薬液塗布工程における水系薬液塗布量と二次薬液塗布工程における薬液塗布量の質量比を３０：７０〜７０：３０（一次薬液塗布工程における水系薬液塗布量：二次薬液塗布工程における薬液塗布量）とする、
ことを特徴とするティシュペーパー製品の製造方法。
【請求項２】
前記一次薬液塗布工程における薬液塗布方式がフレキソ印制方式である請求項１記載のティシュペーパー製品の製造方法。
【請求項３】
前記二次薬液塗布工程における薬液塗布方式が非接触式薬液塗布方式である請求項１又は２記載のティシュペーパー製品の製造方法。
【請求項４】
前記二次連続シートの巻き出しから折り畳み工程の直前において、前記二次薬液塗布からスリットもしくはカットまでの間のうち短い方を０．４秒以上、１．５秒以内とする、請求項１〜３の何れか１項に記載のティシュペーパー製品の製造方法。
【請求項５】
前記二次薬液塗布工程から折畳み完了までの間を２．１秒以内とする、請求項１〜４の何れか１項に記載のティシュペーパー製品の製造方法。
【発明の詳細な説明】
【技術分野】
【０００１】
本発明は、ティシュペーパー製品の製造方法、特に薬液が塗布されたティシュペーパーが収納箱に収納されたティシュペーパー製品の製造方法に関する。
【背景技術】
【０００２】
＜ティシュペーパー製品＞
複数枚のティシュペーパーからなる束が収納箱内に収納され、その収納箱の一面に設けられた取り出し口からティシュペーパーを順次一枚ずつ引き出して使用するティシュペーパー製品はよく知られ、一枚を取り出すとそれに連続して次ぎの一枚が取出し口から引き出されるポップアップ式と言われる形態が一般的である。
【０００３】
このティシュペーパー製品においては、収納されるティシュペーパーに保湿剤、柔軟剤、などの薬液（通常「ローション薬液」とも呼ばれる）を塗布した薬液塗布タイプのものと、薬液等が塗布されていない汎用品或いは汎用タイプのものがある。
【０００４】
薬液が塗布されたティシュペーパーは、表面の滑らかさや柔らかさにおいて汎用品のものよりも優れる。
【０００５】
薬液塗布タイプの製品は、花粉症やインフルエンザが流行する時期など洟をかむ機会が増える時期に需要が増加する傾向にあったが、近年では、表面の滑らかさや柔らかさ等の使用感における利点が評価され、季節、時期を問わずに使用されるようになってきており、その需要は拡大している。
【０００６】
＜薬液塗布タイプの製品に用いられる薬液＞
薬液塗布タイプの製品に用いられる薬液は種々存在するが、大きくは、水及びポリオールを含む水系薬液、主に非水溶性のワックス等を含む常温で半固形の油系薬液に大別される。
【０００７】
また、水系薬液はシートに塗布した場合にシートを構成するパルプ繊維との親和性に優れ、シートの厚み方向（Ｚ方向とも称される）、平面方向に含浸し、シート全体及びその表面性を改質するように作用する。これに対して油系薬液は主にその基材表面をコーティングし、人が肌で触れた時に表面の滑らかさを感じるように作用する。
【０００８】
そして、水系薬液は、シートに含浸することから塗布後にシートに塗布されたクレープを伸ばす作用が大きいが、油系薬液ではそのような作用が小さい。
【０００９】
この両者の特質によって製造上の問題点等の課題において異なるところがある。
【００１０】
＜ティシュペーパー製品の従来の製造方法の概要＞
ティシュペーパー製品の製造の流れは次のとおりである。
まず、抄紙設備においてクレープを有する薄葉紙（クレープ紙とも称される）を抄造し、これを巻き取って一次原反ロール（一般にジャンボロールとも称される）を製造する。
【００１１】
次いで、この一次原反ロールをプライマシンに必要数セットし、セットされた各一次原反ロールから一次連続シートを繰り出すとともに、適宜重ね合わせて積層一体化し、巻き取って複数のプライ（積層された）からなる二次原反ロールを製造する。
【００１２】
次いで、二次原反ロールから順次二次連続シートを繰り出し、この二次連続シートをインターフォルダと呼ばれる折畳み設備に供給し、二次連続シートを折畳むとともに順次積層してティシュペーパー束を製造し、このティシュペーパー束を収納箱内に収納してティシュペーパー製品とする。
【００１３】
＜ティシュペーパー製品の製造に用いられるインターフォルダの種類＞
ここで、ティシュペーパー製品に用いるティシュペーパー束を製造するにあたっては、マルチスタンド式（多連式）インターフォルダ（下記特許文献４、５）とロータリー式インターフォルダ（特許文献６、７）の２種のインターフォルダが使用されている。
【００１４】
前者のマルチスタンド式インターフォルダは、特許文献４、５にも示されるように、折り板を有する折畳み機構部がライン流れ方向に多数（通常８０〜１２０機）並設されており、各折畳み機構部対して同時にティシュペーパーの幅と同幅にスリットした二次連続シートを２シート並べて連続的に供給すると、各折畳み機構部で二枚の二次連続シートを折り畳みが行なわれるとともに、ライン上流側の折畳み機構で折り畳まれた二次連続シートの上にそれよりもライン下流側の折畳み機構部で折り畳まれた二次連続シートが順次積層され、最下流において必要枚数が積層された連続積層シート束が形成される。ここで折畳み機構部の１機とは、二次連続シートを２シート並べ各シートを互いに内側に折り込むように折り畳む設備の単位であり、マルチスタンド式インターフォルダの基本となる機構部の単位である。
【００１５】
一方、ロータリー式インターフォルダは、図２９に示すように、フォールディングロールと呼ばれる一対の折ロール５７１，５７１と必要に応じて配される他のロールとからなる折畳み機構部を有し、通常一対の二次原反ロールから繰り出された各二次連続シートＳ’， Ｓ'がそれぞれロールに保持されて搬送されるとともに先端側から裁断され、最終的に一対のフォールディングロール５７１，５７１にて折り畳まれるとともに順次重ね合わせられて積層シート束を形成する。このロータリー式インターフォルダＸ５は比較的小型でロールの切り替えが容易であり、またシートの揃いなどの折り品質が良いことから、小ロットの高付加価値商品の生産に向いている。
【００１６】
さらに、このロータリー式インターフォルダＸ５は、加工速度が通常８０〜１００ｍ／分程度であり、この加工速度から、広幅（幅１〜３ｍ程度）で折り工程の前段において水及びポリオールを含む水系薬液をグラビア方式やフレキソ方式等でオンライン塗布することが可能であるという利点がある。
【００１７】
＜ティシュペーパー製品とインターフィルダとの関係＞
マルチスタンド式インターフォルダは多くの生産量が必要とされる汎用タイプの製品の製造に用いられ、ロータリー式インターフォルダはその利点から、汎用タイプに比して生産量が少ない薬液塗布タイプの製造に用いられるのが一般的であった（例えば、下記特許文献１）。
【００１８】
ここで、薬液塗布タイプの製品を製造するにあたっては、通常インターフォルダとは別途の例えばプリンタ設備などによって予め一次又は二次原反ロールから一度連続シートを巻きだして薬液を塗布し、再度巻取って薬液塗布原反ロールを製造し、この薬液塗布原反ロールから繰り出した薬液塗布シートをロータリー式インターフォルダにより折り畳む製造方法もあるが、上述のようにロータリー式インターフォルダで薬液塗布を行いつつ折り畳む方法も用いられている。ロータリー式インターフォルダの方がマルチスタンド式インターフォルダに比べ折り畳み品質が良く、また、マルチスタンド式インターフォルダを用いる場合には薬液を含有した変形しやすい薬液塗布ロールを多数管理しつつ折り畳む必要があり、このことが困難であるという理由等によりマルチスタンド式インターフォルダは用いられずにロータリー式インターフォルダが用いられる。
【００１９】
しかしながら、ロータリー式インターフォルダは、マルチスタンド式インターフォルダと比較すると、生産性に劣る欠点がある。具体例を例示すれば、ロータリー式インターフォルダでは、ティシュペーパーの幅の５倍幅の原反ロールを用いて、加工速度を１００ｍ／分でティシュペーパー束を生産すると、約２５束／分要しているのに対して、マルチスタンド式インターフォルダでは、加工速度を１００ｍ／分で４３５束／分を生産することが可能である。
【００２０】
＜改良ロータリー式インターフォルダ＞
このように、旧来ロータリー式インターフォルダＸ５では、生産性が低く、上述の薬液塗布タイプの製品の需要拡大を満たすのが困難となってきている。
【００２１】
その一方、近年、オンライン塗布に適する、折り品質に優れるといったロータリー式インターフォルダ特有の効果はそのままに、高速化が期待されるロータリー式インターフォルダが開発されている。ここでは、このロータリー式インターフォルダを改良ロータリー式インターフォルダと称する。この改良ロータリー式インターフォルダＸ６は、例えば、米国特許  ＵＳ ７，４５２，３２１ Ｂ２に開示される。
【００２２】
かかる改良ロータリー式インターフォルダは、図３０に示すように、先に図２９に示した旧来ロータリー式インターフォルダと比較し、ロール数が多くシートランの長い複雑な構造をしている。
【００２３】
図２９に示す旧来のロータリー式インターフォルダＸ５はフォールディングロール５７１，５７１上でバキューム孔５７９，５７９を介して吸引しながらカットし、直後にフォールディングバー５７３，５７３にて折り畳むものであり、コンパクトであるという利点がある。しかし、加工速度が上がってくると、連続シートの張力は増し、ロール周辺でシートの受ける空気抵抗は増加する。バキューム孔５７９がシートの前端部分、後端部分、それらの中間部分に一つしかないうえに、ロールを貫通する一つの貫通孔に対しシート中央部と後端部、および後続するシートの前端部の各バキューム孔に吸引機能を与えるように構成されているため、例えば、バキューム能力を増強し、ブレード５７２，５７２の材質を換えてカット適性を維持したとしても、カット後に張力から開放されたシートが流れ方向寸法の縮みを生じるため、シート先端部を掴む部分のタイミングがずれて折り不良が発生しやすくなる。従って、高速化が難しい。この傾向は加工速度が増すほどシートの張力が増し、タイミングのずれが顕著になる。
【００２４】
これに対し、図３０に示す改良ロータリー式インターフォルダＸ６は、シートのカットとシートの折畳みの工程が分離されている。この分離によって、まず、シートのカットに伴うシートの瞬間的な伸びと縮みによって折畳みでのシート前端部の掴みがずれることはなく、安定した折畳み加工が可能となっている。
【００２５】
また、改良ロータリー式インターフォルダＸ６は、シートを運ぶすべてのロールがシートを介して接しており、シートをフリーな状態にすることなく、ロール上でシートのリード端部を爪で掴んだまま、もしくはシートをバキュームによりロール表面に保持したまま、各機能を持ったロールからロールへと受け渡し、最後にフォールディングロールにより連続的に折畳み製品とすることである。これによりシートはフォールディングロール上の折畳みのための正しい位置に載置され、シートの折り畳みがずれることがなく、製品でのシートの揃いがきれいになる。
【００２６】
製品仕様をＺ折りのポップアップ式にする場合には、ラップロール６８１，６８１と、これに対して減速させたフォールディングロール６８２，６８２そしてやや小さなテールロール６８３，６８３を利用して、ラップロール６８１とテールロール６８３との間でたるみ部（バブルとも称される）６８０とも称する、いわれるシートの膨れた形状を形成し、これを利用してフォールディングロール６８２上においてシートの一部分を重ね合わせつつ移行させ、最終的にそのシートが一部重ねられた状態のシート群を折り畳んで製品化することができる。
【００２７】
このように改良ロータリー式インターフォルダＸ６では、シートの保持性が高められており、薬液塗布タイプのティシュペーパーの高速化が期待される。従って、かかる改良ロータリー式インターフォルダＸ６などの技術と合わせて薬液塗布タイプの製品を製造することが望まれる。しかしである。この改良されたロータリー式インターフォルダＸ６にて薬液塗布タイプの製品、特に水系薬液を用いて製造するには高速化の他、以下の問題点がある。
【００２８】
＜改良ロータリー式インターフォルダにおける問題点（課題）＞
まず、水系薬液をティシュペーパー製品の原料シートであるクレープ紙に塗布すると、塗布直後から時間とともにシート内部に浸透していく。そして、十分な浸透によってシートからの紙粉の離脱が抑制されるとともに、ロール表面に薬液が付着しないため紙粉は堆積しない。このため、薬液塗布後に十分な浸透時間を取ることができる低速にロータリー式インターフォルダを運転する場合、紙粉堆積の問題は小さい。
【００２９】
しかし、加工速度が速くなるとそれだけシートにかかるテンションが強くなり、さらに薬液の浸透時間が短くなるためＭＤ方向に沿ったスリットやＣＤ方向のカットにおいて離脱する紙粉の発生が顕著になる。紙粉の一部はシートに付着したままロールからロールへ移動し、また一部は空中に飛散し、その一部は設備表面に付着する。
【００３０】
粘性の高い油系ローション薬液の場合は、高速で加工する場合であっても、シート表面を薬液が覆うため紙粉は油系ローション薬液に粘着しシートから脱離しない。しかし水系薬液を塗布する場合には、シートのスリットやカットにより発生した紙粉は、水系薬液の粘性が低いためにシートから離脱する。
【００３１】
さらに、ロータリー式インターフォルダを高速にした場合、薬液塗布後に十分な浸透時間を取ることが困難なために、シートへの薬液の浸透が十分でなくシート表面に部分的に薬液が残り、ロール表面にシート表面の薬液が転移し付着する。このためロール表面に付着した薬液の部分に紙粉が付着し堆積する。すなわち、紙面に薬液が残った部分が存在したまま、多くのロール間をバキューム或いは把持されつつ高速に受け渡されるために、二次連続シートから持ち込んだ、あるいはスリット、カットにより発生した紙粉が各ロールの薬液が付着した部分に付着し堆積することになる。
【００３２】
そして、特に、改良ロータリー式インターフォルダＸ６のように、複雑なロール構成であるとともに、各ロール間の回転速度や、ロールからロールへの受け渡しのタイミングがシビアであると、紙粉堆積は、その操業性に大きな影響を与える。また紙粉が堆積した場合ロール表面からはがれ落ちティシュー製品に入り込むこともある。もっとも顕著に紙粉の付着、堆積するのはカットシートが折り畳まれるフォールディングロールの表面である。
【００３３】
他方、水系薬液をシートに塗布するクレープの伸びに伴って紙力が低減するため、薬液塗布から折畳みまでの時間を十分に取るためだけにペーパーランを長くすると、シートテンションのコントロールを難しくし、シートのカット不良や連続シートのしわ、たるみ、断紙の発生を助長する。また、装置規模が大きくなり現実的ではない。
【００３４】
このように、ロータリー式インターフォルダを高速化すると、水系薬液塗布との関係によって問題が生ずる。特に、高速化が期待される改良ロータリー式インターフォルダＸ６においては、その問題が顕著となる。
【００３５】
ここで、上記問題を回避する第一の方法（Ａ）は、ロータリー式インターフォルダの前段設備において、水系薬液量を塗布した原反ロールを用意し、これを高速化ロータリー式インターフォルダで加工することである。しかし、この方法（Ａ）には大きく二つの欠点がある。この方法の第一の欠点は、必要量の水系薬液を塗布した原反ロールは、力に対して変形しやすく、また側面からの力に対しシートがずれやすくなるため、設備間の移動や倉庫からの出し入れの際に、原反ロールを搬送するクランプリフトのロール把持力によって変形してしまうことである。原反ロールが変形するとロータリー式インターフォルダにて加工する際にシートの張力が不安定になり、しわ入りや最悪断紙につながる。また、シートが左右にずれるとスリット位置がずれ、製品歩留の低下となる。
【００３６】
また、方法（Ａ）の第二の欠点は、原反ロールの状態で最低でも４〜８時間の保管或いはシーズニングを行なうため、その時間で吸湿が起き、クレープが伸ばされシートの紙厚が低くなり厚み感が失われる。すなわち、品質が損なわれる可能性が高いため、実際の操業上では難しい。
【００３７】
他方、上記問題を回避する第一の方法（Ａ）とは異なる第二の方法（Ｂ）は、高速化ロータリー式インターフォルダで折畳み加工される直前に、時間差を設けて二段に分けて必要なローション薬液量を塗布する方法である。しかし、この方法にも大きく二つの欠点がある。
【００３８】
この方法（Ｂ）の第一の欠点は、薬液塗布設備が４ユニット×２サイド（両面分）の合計８ユニットが必要でありロータリー式インターフォルダにこれらの塗布設備を塗布すると設備設置面積が大きくなる。コンパクトであるというロータリー式インターフォルダの利点が減少する。
【００３９】
この方法（Ｂ）の第二の欠点は、薬液塗布ユニットの各々の塗布量を、品質もしくは操業状況に応じてコントロールする必要があり、実操業上では操業員の熟練が必要になる。
【先行技術文献】
【特許文献】
【００４０】
【特許文献１】特開２００４−３２２０３４号公報
【特許文献２】特表２００８−５２５１０３号公報
【特許文献３】特開２００８−２６４５６４号公報
【特許文献４】米国特許４０５２０４８号公報（特公昭５５−１２１５号公報）
【特許文献５】特開２００６−２４０７５０号公報
【特許文献６】特開昭６１−３７６６８号公報
【特許文献７】特開平５−１２４７７０号公報
【特許文献８】特開２００８−２４５７８０号公報
【特許文献９】特開２００８−１８３４１１号公報
【特許文献１０】米国特許ＵＳ ７４５２３２１Ｂ２
【特許文献１１】特開２００３−３２５３７２号公報
【発明の概要】
【発明が解決しようとする課題】
【００４１】
そこで、本発明の課題は、上記方法Ａ及び方法Ｂにおいて掲げた欠点の回避を含め、ロータリー式インターフォルダを高速に運転して薬液塗布タイプのティシュペーパーを製造する際の問題を解決し、ロータリー式インターフォルダを用いて薬液塗布タイプのティシュペーパー製品をシートの寸法精度が良く、折り品質に優れ、かつ効率よく高い生産性で製造する方法と、薬液塗布した後工程でのロールへの薬液付着、紙粉付着を抑制し、ティシュペーパー製品への紙粉混入の防止技術を提供することである。また、大幅な設備改造を要することなく、既設備の小改良で足り、生産性に極めて優れた製造方法を提供する。
【００４２】
さらに、合わせて、水系薬液に適した高速に運転可能なロータリー式インターフォルダの構成についても提供する。
【課題を解決するための手段】
【００４３】
上記課題を解決するための手段及びそれらの作用効果は次記のとおりである。
〔請求項１記載の発明〕
プライマシンにて、複数の一次原反ロールから巻きだした坪量１０〜２５ｇ/ｍ2のクレープ紙からなる一次連続シートを積層し、巻取って二次原反ロールを形成するプライ加工工程を行い、
ロータリー式インターフォルダにて、前記プライマシンにて形成した二次原反ロールから巻きだした二次連続シートを折り畳み、ティシュペーパー束を形成するティシュペーパー束製造工程を行う、ティシュペーパー製品の製造方法であって、
前記プライマシンで一次連続シートを積層した後、巻取るまでの間に積層連続シートに対してポリオールを主成分とし、水を１〜１５質量％含む水系薬液を塗布する一次薬液塗布工程を行い、
前記ロータリー式インターフォルダで、二次連続シートの巻き出しから折り畳み工程の直前までの間に二次連続シートの表裏両面に対してポリオールを主成分とし、水を１〜１５質量％含む水系薬液を塗布する二次薬液塗布工程を行ない、
一次薬液塗布工程と二次薬液塗布工程との薬液の合計塗布量を１．５〜５．０ｇ／ｍ2とし、一次薬液塗布工程における水系薬液塗布量と二次薬液塗布工程における薬液塗布量の質量比を３０：７０〜７０：３０（一次薬液塗布工程における水系薬液塗布量：二次薬液塗布工程における薬液塗布量）とする、
ことを特徴とするティシュペーパー製品の製造方法。
【００４４】
【００４５】
【００４６】
【００４７】
〔請求項２記載の発明〕
前記一次薬液塗布工程における薬液塗布方式がフレキソ印制方式である請求項１記載のティシュペーパー製品の製造方法。
【００４８】
〔請求項３記載の発明〕
前記二次薬液塗布工程における薬液塗布方式が非接触式薬液塗布方式である請求項１又は２記載のティシュペーパー製品の製造方法。
【００４９】
【００５０】
〔請求項４記載の発明〕
前記二次連続シートの巻き出しから折り畳み工程の直前において、前記二次薬液塗布からスリットもしくはカットまでの間のうち短い方を０．４秒以上、１．５秒以内とする、請求項１〜３の何れか１項に記載のティシュペーパー製品の製造方法。
【００５１】
〔請求項５記載の発明〕
前記二次薬液塗布工程から折畳み完了までの間を２．１秒以内とする、請求項１〜４の何れか１項に記載のティシュペーパー製品の製造方法。
【発明の効果】
【００５２】
本発明は、プライマシンで一次薬液塗布された二次原反ロールから巻き出した二次連続シートを高速運転するロータリー式インターフォルダにてその折り畳み前に二次薬液塗布する。これによりロータリー式インターフォルダで薬液が塗布された二次連続シートを高速に折り畳むこととしても、紙粉発生・堆積に起因する操業上の問題、さらにシートのカット不良や連続シートのしわ、たるみ、断紙の発生が防止され、生産性も向上する。これは、プライマシンにて積層連続シートに水系薬液を予め一部塗布するため、ロータリー式インターフォルダにて塗布する水系薬液の塗布量を少量とすることができるとともに、一次塗布によって二次連続シートが既に水系薬液を含んでいるため、二次連続シートの親水性が向上されているため、全く水系薬液が塗布されていない二次連続シートよりも素早く水系薬液が吸収されることによる。これにより、ロータリー式インターフォルダを高速に運転しつつ、また操業上の問題なく、二次連続シートに薬液塗布タイプのティシュペーパー製品の品質に見合う十分な量の水系薬液を塗布することができる。
【００５３】
ただし、一次薬液塗布工程における水系薬液の塗布量が過度であると繊維に吸着された水系薬液が却って、二次薬液塗布の際の薬液吸収を阻害するため、一次薬液塗布工程における薬液塗布量は適当量にする。
【００５４】
また、一次薬液塗布による二次連続シートの薬液吸収速度の向上によって二次連続シートが折り畳まれる際にロータリー式インターフォルダの折り畳み機構部を構成するロール群に接するまでに、二次連続シート内に水系薬液が十分に浸透している状態となるため、折り畳み機構部を構成するロール群に紙粉が付着・堆積することがないのである。
【００５５】
なお、このことは、例えば、抄紙水分が高い方が処理した澱粉水溶液をオンライン塗布する際に、その塗布量が多くなることと同じ現象と考えられる。
【００５６】
他方、本発明では、プライマシンにて一次薬液塗布を行なうためプライマシンとは別に大きな塗布設備のためのスペースを必要としない。
【００５７】
さらに、プライマシンからロータリー式インターフォルダへ移行するために、シーズニングを行なうことができ、二次原反シートの薬液浸透を均一化し安定させることができる。これによって、高速化ロータリー式インターフォルダでも安定した操業ができるようになる。また二次原反シートに全ての塗布量を塗布しないので、紙厚が比較的保持され厚み感が損なわれにくく、かつ二次原反ロールが変形しにくいため扱いも容易となる。
【００５８】
他方、二次連続シートは少なくとも２層以上のシートであるため薬液塗布は二次連続シートの両外面に行なうのが望ましい。ここで、プライマシンにおける一次薬液塗布工程においても表裏両外面塗布が好ましいが、本発明では前記一次薬液塗布工程にて水系薬液を塗布した二次原反シートを一度巻取って二次原反ロールとし、さらにこれをロータリー式インターフォルダに移動させて折り畳み加工を行なうため、その間にある程度の時間を有し、またシーズニングを行なうこともできることから、片面塗布としても、ロータリー式インターフォルダにて二次薬液塗布を行なう際には、その二次連続シートの表裏両外面での薬液存在差は小さく、二次薬液塗布工程のみを両外面塗布としてもよい。このようにしても表裏のシート面の品質差をなくすことができる。
【００５９】
なお、二次薬液塗布工程では、二次連続シートの表裏両外面に薬液を塗布するのが望ましい。表裏で品質差のないティシュペーパー製品が得られる。
【００６０】
他方、プライマシンは通常７００ｍ／分以上の高速で運転されるため、一次薬液塗布工程は、かかる高速運転時においても薬液塗布を確実に行えるフレキソ印刷方式とするのが望ましい。
【００６１】
また、ロータリー式インターフォルダは、好ましく加工速度１５０ｍ／分以上で運転されるため、この速度に適することを本発明者らが知見した非接触式塗布方式とするのが望ましい。前記速度にて表裏面で薬液塗布量調整の応答性の速さ、平面的な塗布量の均一性からローラーダンプニング、インクジェットなどの非接触式塗布方法を採用するのが望ましい。
【００６２】
なお、本発明における薬液とは保湿剤、柔軟剤などのティシュペーパーに柔軟性、柔らかさ、表面の滑らかさを塗布する薬液を意味し、単なる香料のみは含まない。
【図面の簡単な説明】
【００６３】
【図１】本発明にかかるティシュペーパー製品の斜視図である。
【図２】本発明にかかるティシュペーパー製品の使用状態の斜視図である。
【図３】そのIII- III断面図である。
【図４】本発明にかかる一次原反ロールの製造設備及び製造方法を示す概略図である。
【図５】本発明にかかる二次原反ロールの製造設備及び製造方法を示す概略図である。
【図６】本発明にかかるロータリー式インターフォルダの設備例を示す概略図である。
【図７】本発明にかかる薬液塗布工程をフレキソ印刷方式とした形態の説明図である。
【図８】本発明にかかるチャンバー方式のフレキソ印刷の説明図である。
【図９】本発明にかかるチャンバー方式のフレキソ印刷の説明図である。
【図１０】本発明にかかるチャンバー方式のフレキソ印刷の説明図である。
【図１１】本発明にかかるチャンバー方式のフレキソ印刷の説明図である。
【図１２】本発明にかかるチャンバー方式のフレキソ印刷の説明図である。
【図１３】本発明にかかる２ロール転写方式のフレキソ印刷の説明図である。
【図１４】本発明にかかる二流体噴霧方式のスプレー塗布装置のノズルユニット例を示す図である。
【図１５】本発明にかかるスプレー塗布装置のノズルユニット例を示す図である。
【図１６】本発明にかかるローターダンプニング方式のスプレー塗布装置例を示す図である。
【図１７】そのノズルユニット例を示す図である。
【図１８】本発明にかかるインクジェット印刷機の要部拡大図である。
【図１９】インクジェット印刷機のインクジェットヘッドを示す図である。
【図２０】本発明にかかる折り畳み機構部例１を示す図である。
【図２１】本発明にかかる折り畳み機構部例１を示す他の図である。
【図２２】本発明にかかる折り畳み機構部例２を示す図である。
【図２３】本発明にかかる折り畳み機構部例３を示す図である。
【図２４】本発明にかかる折り畳み機構部例４を示す図である。
【図２５】本発明にかかる折り畳み機構部例４を示す他の図である。
【図２６】本発明にかかる折り畳み機構部例５を示す図である。
【図２７】本発明にかかる折り畳み機構部例５の他の例を示す図である。
【図２８】収納工程の説明図である。
【図２９】旧来ロータリー式インターフォルダの説明図である。
【図３０】改良ロータリー式インターフォルダの説明図である。
【発明を実施するための形態】
【００６４】
以下、本発明の実施形態について図面を参照しながら詳説する。
『ティシュペーパー製品』
図１〜３に、本発明にかかるティシュペーパー製品Ｘ１を例示する。本発明にかかるティシュペーパー製品Ｘ１は、複数枚のティシュペーパー１が、折り畳まれ重層されてなるティシュペーパーの束１０が、上面２Ｕに取出口又は取出口形成部２１が形成された収納箱２に収納され、使用時に当該取出口からティシュペーパー１の一組を取り出すと、隣接して積層されている下層の一組の一部が取出口から露出されるように構成されたものである。ここでいう一組とは、ティシュペーパーのカットシート単位をいい、複層のクレープ紙からなる。
【００６５】
［収納箱］
ティシュペーパー１の束１０が収納される収納箱２は、カートン箱とも呼ばれる直六面体形状の箱体である。この収納箱２は、製品外観をなすものであり、ティシュペーパー製品Ｘ１を示す図１及び図２にも示されているとおり、上面２０Ｕに取出口形成部２１である環状のミシン目線２１を有する紙箱２０と、前記ミシン目線２１により囲まれる範囲２１ａを紙箱内側から覆う樹脂製フィルム２２とを有する。
【００６６】
紙箱２０は、収納箱の外郭をなす紙製の箱体であり、その大きさ、形状、展開形状等は既知の収納箱の紙箱の構成が採用される。
その形状としては、図示例の一対の平行な長手縁２０Ｌ，２０Ｌとこれらよりも短い一対の平行な短手縁２０Ｓ，２０Ｓとで構成される長方形の上面２Ｕを有する直六面体形状が例示でき、その構造としては、上面２Ｕ、底面（図示されず）及びこれらを連接する側面２Ｓと、各面の長手方向両側縁に連接された底面側端面片２３Ｂ、側面端面片２３Ｓ、上面側端面片２３Ｕとを有し、前記側面端面片２３Ｓを箱内面側に折り返した後、これに重ねて上面側端面片２３Ｕと底面側端面片２３Ｂとを折り曲げ、各片の当接部分をホットメルト接着剤等により接着して構成される構造が例示できる。
【００６７】
収納箱２の大きさは、ティシュペーパー１の束１０より若干大きく、概ね束１０の外形よりも１〜２０ｍｍ程度大きい内形とされる。一般的な収納箱２の大きさを例示すると、概ね長手縁が１１０〜３２０ｍｍ、短手縁が７０〜２００ｍｍ、高さが４０〜１５０ｍｍ程度である。少なくとも本発明においてもこの大きさの収納箱１が採用できる。
【００６８】
紙箱２０の素材としては、例えば、バージンパルプ、古紙パルプ等の各種のパルプを主原料とする既知の紙素材が採用できる。好適には、紙箱の素材は、坪量２５０〜５００ｇ／ｍ2、好適には３５０〜４００ｇ／ｍ2のコートボール紙である。
【００６９】
なお、紙箱は、図示はしないが、花柄、螺旋模様、波模様、ドット模様、亀甲模様、星模様、十字模様、幾何学模様など適宜の文字・図形・絵・記号の単体又はこれらの組み合わせにより構成される適宜の模様を採用することができる。紙箱外面に対する模様の付与は、グラビア印刷等の既知の印刷方法により行うことができる。
【００７０】
他方、紙箱２０の上面２Ｕに形成されるミシン目線２１は環状をなし、既知の方法及びカットタイ比で形成され、これにより囲まれる範囲の具体的形状については必ずしも限定されない。ただし、収納箱２においては、図示例の如く、紙箱上面の長手方向に沿う方向を長辺とする略楕円形状又は矩形が代表的であり、取出し性、利便性が高いことから、本発明においても多くの既存の製造ラインで製造可能なこの形状が好適である。
【００７１】
他方、前記樹脂製フィルム２２は、前記ミシン目線により囲まれる範囲のサイズより大きく、例えば、矩形や楕円形であり、紙箱上面の内面側において、特に環状ミシン目線２１の切り剥がしに影響がないように、環状ミシン目線２１の外側で接着されている。この樹脂性フィルム２２の好適な素材は、ポリエチレンフィルムであるが、ポリプロピレン、ポリエステルなども例示できる。
【００７２】
樹脂製フィルム２２の厚みは、１０〜２００μｍが適する。１０μｍ未満では、強度的に不足し、ティシュペーパー１の取り出し時において裂けあるいは破断の確率が高くなる。逆に、２００μｍを超えると、強度の問題はないものの、取り出し難くなり、またコスト高となる。
【００７３】
他方、この樹脂製フィルム２２には、スリット２４が形成されており、このスリット２４はミシン目線２１により囲まれる範囲に位置されている。
【００７４】
従って、図１及び２に示されるとおり、前記環状ミシン目線に沿ってそのミシン目線２１により囲まれる範囲２１ａを切り剥がすことにより、紙箱上面２Ｕに取り出口が形成されるとともに、前記樹脂製フィルム２２及びそれに形成されたスリット２４が取出口２５を介して露出される。なお、前記スリット２４の長さは、適宜の長さとすることができ、既知の環状ミシン目線２１との大きさの関係で適するとされる長さが採用できる。
【００７５】
収納箱２に束として収納されているティシュペーパー１は、前記スリット２４を介して取出口２５から一枚ずつ取り出される。そして、当該スリット２４によって、取出口２５から露出されるティシュペーパーの一部が支持されてカートン箱内部に落ち込むことが防止されるようになっている。
【００７６】
［ティシュペーパー束の基本構成］
本発明のティシュペーパー１の束１０は、ティシュペーパー１が折り畳まれ、積層されてなるものである。より具体的な例は、図３からも理解されるように、方形のティシュペーパー１が実質的に二つ折りされ、その折り返し片の縁１ｅが上下に隣接するティシュペーパーの折り返し内面に位置するようにして、互い違いに重なり合いつつ積層されている。なお、ここで実質的にとは、製造上の形成される縁部の若干の折り返しを許容する意味である。
【００７７】
本積層構造のティシュペーパー１の束１０は、最上位に位置する一枚の折り返し片を上方に引き上げると、その直下で隣接する他の一枚の折り返し片が、摩擦により上方に引きずられて持ち上げられる。そして、かかる構造のティシュペーパー１の束１０は、その最上面が上述の上面２Ｕに取出口２５等を有する収納箱２の当該上面に向かいあって収納され、前記取出口２５、特にスリット２４から最初の一組（最上面に位置する一組）が引き出されたときに、その直近下方に位置する他の一組の一部が露出される。なお、本発明のおけるティシュペーパー１の積層枚数が限定されないが、この種の製品の一般的な積層枚数を例示すれば、１２０〜２４０組である。
【００７８】
『ティシュペーパー製品の製造方法』
次に、上記ティシュペーパー製品Ｘ１の本発明にかかる特徴的な製造方法について説明する。
［抄紙工程〔一次原反ロールの製造方法及び製造設備〕］
本発明にかかる連続シートの製造方法について説明する。
まず、図４に示す抄紙設備例Ｘ２により、一次原反ロールＪＲ（ジャンボロールとも称される）を以下のようにして製造する。
【００７９】
ヘッドボックス３１からパルプスラリーに適宜の薬品を添加して予め調整した紙料をワイヤーパート３２のワイヤ３２ｗ上に供給して湿紙Ｗを形成し（フォーミング工程）、次にこの湿紙Ｗをプレスパート３３のフェルト３４に移送したにのち対をなす脱水ロール３４，３５によって挟持して脱水する（脱水工程）。
【００８０】
次いで、脱水された湿紙をヤンキードライヤー３６の表面に付着させて乾燥させた後にドクターブレード３７によって掻き剥がしてクレープを有する乾燥原紙Ｓ１（後述の一次連続シートに相当）とする（乾燥工程）。
【００８１】
そして、この乾燥原紙Ｓ１をワインディングドラム３９を有する巻取り手段３８によって、前記乾燥原紙Ｓ１の裏面が一次原反ロールＪＲの軸側に対向するようして（巻き取り内面となるようにして）巻き取り、一次原反ロールＪＲとする（一次原反巻取り工程）。
【００８２】
この一次原反ロールＪＲは、抄紙設備Ｘ２の性能によっても相違するが、概ね直径が１０００〜５０００ｍｍ、長さ（幅）が１５００〜９２００ｍｍ、巻き長さが５０００〜８００００ｍである。
【００８３】
なお、一次原反巻き取り工程の前段にドクターブレード３７により掻き剥がした乾燥原紙Ｓ１に対してカレンダー工程（図示せず）を設け表裏面の平滑化処理をしてもよい。
【００８４】
ここで、乾燥原紙Ｓ１の裏面とは、ヤンキードライヤー３６のシリンダと接していた面の反対側の面のことを意味する。なお、カレンダー工程の有無にもよるが一般には鏡面のヤンキードライヤーに接していた表面のほうが滑らかで表面性に優れる。
【００８５】
ここで、一次原反ロールＪＲを構成する一次連続シートＳ１は、後にティシュペーパー１に加工されるものであり、最終製品を構成するティシュペーパー１の薬液塗布前の原紙坪量と同等の坪量（後に積層する場合には１／積層数の坪量）となる。従って、これを考慮して一次原反シートＳ１は具体的にはＪＩＳ Ｐ ８１２４による坪量が、１０〜２５ｇ／ｍ2、好ましくは１２〜２０ｇ／ｍ2、より好ましくは１３〜１６ｇ／ｍ2とする。坪量が１０ｇ／ｍ2未満であると、ティシュペーパー１の柔らかさの点においては好ましいが、適正な強度を確保することができなくなる。他方、坪量が２５ｇ／ｍ2を超えると、ティシュペーパー１が硬くなりすぎて、肌触りが悪化する。また、紙厚（尾崎製作所製ピーコックにより測定）は８０〜２５０μｍ、好ましくは１００〜２００μｍ、より好ましくは１３０〜１８０μｍとするのが望ましい。
【００８６】
紙厚の測定方法としては、ＪＩＳ Ｐ ８１１１（１９９８）の条件下で、ダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの平面が紙平面に対し垂直に当たるようにし、この紙厚測定時の荷重は、約７０ｇｆである。なお、紙厚は測定を１０回行って得られる平均値とする。
【００８７】
また、一次連続シートＳ１は、クレープ率が１０〜３０％、好ましくは１２〜２５％、より好ましくは１３〜２０％である。クレープ率は次のように定義する。
クレープ率：（（製紙時のドライヤーの周速）−（リール周速））／（製紙時のドライヤーの周速）×１００。
【００８８】
クレープ率が１０％未満であると、後段の加工時に断紙しやすいとともに伸びの少ないコシのないティシュペーパー１となる。他方、クレープ率が３０％超過であると、加工時のシートの張力コントロールが難しく断紙しやすくなり、また、製造後にはシワが発生して見栄えの悪いティシュペーパー１となりやすくなる。すなわち本発明のロータリー式インターフォルダにおける折り畳みを困難ならしめる。
【００８９】
また、一次連続シートＳ１は、ＪＩＳ Ｐ ８１１３に規定される乾燥引張強度（以下、乾燥紙力ともいう）の縦方向が、２プライで２００〜７００ｃＮ／２５ｍｍ、好ましくは２５０〜６００ｃＮ／２５ｍｍ、特に好ましくは３００〜６００ｃＮ／２５ｍｍとされ、他方、横方向が、２プライで１００〜３００ｃＮ／２５ｍｍ、好ましくは１３０〜２７０ｃＮ／２５ｍｍ、特に好ましくは１５０〜２５０ｃＮ／２５ｍｍとされる。原紙の乾燥引張強度が低すぎると、製造時及び使用時の断紙や伸び等のトラブルが発生し易くなり、高過ぎると使用時にごわごわした肌触りとなる。
【００９０】
これらの紙力は公知の方法により調整でき、例えば、乾燥紙力増強剤を紙料或いは湿紙に内添する、紙料のフリーネスを低下（例えば３０〜４０ｍｌ程度低下）させる、原料パルプのＮＢＫＰ配合率を増加（例えば５０％以上に）する等の既知の手法を適宜組み合わせることができる。
【００９１】
なお、乾燥紙力増強剤としては、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛等を用いることができる。湿潤紙力剤としては、ポリアミドポリアミンエピクロルヒドリン樹脂、尿素樹脂、酸コロイド・メラミン樹脂、熱架橋性付与ＰＡＭ等を用いることができる。
【００９２】
湿潤紙力剤を内添する場合、その添加量はパルプスラリーに対する重量比で５〜２０ｋｇ／ｔ程度とすることができる。また、乾燥紙力剤を内添する場合、その添加量はパルプスラリーに対する重量比で０．５〜１．０ｋｇ／ｔ程度とすることができる。
【００９３】
（紙料）
ここで、一次原反ロール（一次連続シート）の原料となる紙料について説明すると、紙料は繊維原料としてパルプを主原料とするスラリー（パルプスラリー）に適宜の薬品を添加したものである。
【００９４】
本発明においては、原料パルプは特に限定されず、この種のティシュペーパーに用いられる適宜の原料パルプを選択して使用することができる。具体例としては、木材パルプ、非木材パルプ、合成パルプ、古紙パルプなどから、より具体的には、砕木パルプ（ＧＰ）、ストーングランドウッドパルプ（ＳＧＰ）、リファイナーグランドウッドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００９５】
なかでも原料パルプは、ＮＢＫＰとＬＢＫＰとを配合したものが好ましい。水系薬液との相性がよく、塗布後に折り畳む本発明の製造方法において望ましく、また得られるティシュペーパーの風合いの点でも望ましいことから、バージンパルプのＮＢＫＰとＬＢＫＰのみから構成されているのがよく、その場合の配合割合（ＪＩＳ Ｐ ８１２０）としては、ＮＢＫＰ：ＬＢＫＰ＝２０：８０〜８０：２０がよく、特に、ＮＢＫＰ：ＬＢＫＰ＝３０：７０〜６０：４０が望ましい。また、適宜古紙パルプが配合されていてもよいが、その配合量はティシューが硬くならない程度に抑えておく必要がある。
【００９６】
紙料に添加する薬品例としては、乾燥紙力増強剤、湿潤紙力増強剤、柔軟剤、剥離剤、接着剤、苛性ソーダ等のｐＨ調整剤、粘剤、消泡剤、防腐剤、スライムコントロール剤、染料、などが挙げられる、なお、これらの薬品は、適宜の工程で湿紙に付与してもよい。
【００９７】
［プライ工程〔二次原反ロールの製造方法及び製造設備〕］
抄紙設備で製造された一次原反ロールＪＲは、図５に示す二次原反ロールの製造設備Ｘ３（以下、プライマシンともいう）にて二次原反ロールＲにする。
【００９８】
プライマシンＸ３は、一次原反ロールＪＲを２つ以上セット可能であり、各一次原反ロールＪＲ，ＪＲから繰り出した一次連続シート（図示例ではＳ１１、Ｓ１２）は、その連続方向に沿って積層して積層連続シートとする重ね合わせ部（積層手段）５１に供給されるように構成されている。ここで重ね合わせ部５１は一対のニップロールで構成され、各一次連続シートＳ１１，Ｓ１２を積層するとともにニップして各一次連続シートを積層一体化ならしめる。
【００９９】
なお、図示例では、各一次原反ロールＪＲ，ＪＲから繰り出される一次連続シートＳ１１，Ｓ１２の表面が、それぞれ積層連続シートＳ２（本発明では、プライマシンＸ３の重ね合わせ部以降の積層された積層連続シートを二次連続シートという）の表面（ここで積層連続シートの「表面」とは積層外面である表裏面のことである）となるようして重ね合わせ部５１に供給されるようになっている。一次連続シートＳ１１，Ｓ１２の裏面がそれぞれ二次連続シートＳ２の表面となるよう構成してもよいし、一次連続シートＳ１１，Ｓ１２のどちらか一方の裏面が二次連続シートＳ２の表面となり、他方の表面が二次連続シートＳ２の表面となるようしてもよいが、一次原反シートＳ１１，Ｓ１２の表面は、乾燥時にヤンキードライヤーの表面に接していることから裏面と比較して毛羽立ちが少なく滑らかで肌触りが良いので、一次連続シート（乾燥原紙Ｓ１）の表面が二次連続シートＳ２の表裏面を構成するようにするのが望ましい。
【０１００】
また、本実施例では一次原反ロールＪＲを２つセットしていわゆる２プライの積層連続シートを巻取る例であるが、３セット、４セットとして３プライ、４プライの積層連続シートを巻取るようにすることも可能である。
【０１０１】
本発明ではプライマシンＸ３の重ね合わせ部５１の後段に一次薬液塗手段８１を有し、この一次薬液塗布手段８１にて、二次連続シートＳ２に対して連続的に薬液を塗布する。
【０１０２】
この一次薬液塗布手段８１においては、好ましく二次連続シートＳ２の表裏両面に薬液を塗布するのが望ましいが、一方面のみであってもよい。
【０１０３】
一次薬液塗布手段８１の後段には、薬液が塗布された二次連続シートＳ２を巻取って二次原反ロールＲとするための巻取り手段５６が設けられている。この巻取り手段５６は、二次連続シートＳ２を巻き取り手段５６に案内しつつ巻取るための一対のワインディングドラムを有している。これら２つのワインディングドラム５６Ａ，５６Ａが二次原反ロールＲの外周面に接して二次連続シートＳ２を案内しつつ巻き取りを補助する。
【０１０４】
本実施形態に係る二次原反ロールＲの製造設備Ｘ２又は製造方法においては、加工速度は２００〜１１００ｍ／分、好ましくは７００〜１１００ｍ／分、より好ましくは９００〜１０００ｍ／分である。ロータリー式インターフォルダを高速に運転した際の生産性との関係により２００ｍ／分未満だと十分な生産性とは言えない。他方、１１００ｍ／分超過であると安定的に生産するのが困難となる。特に７００ｍ／分、より好ましく９００ｍ／分であるとロータリー式インターフォルダを高速に運転しても十分量の二次原反ロールＲを供給でき、さらにストック管理や複数のロータリー式インターフォルダの運用が可能になるなど生産性を高めるうえで好ましい。また、１０００ｍ／分以下とすると安定性がより優れる。なお、本発明の趣旨から高速塗布とは、少なくとも速度は２００ｍ／分以上、通常は７００ｍ／分以上、好ましくは９００ｍ／分以上を意味する。
【０１０５】
（カレンダー加工）
他方、プライマシンＸ３においては、重ね合わせ部５１から巻き取り部５６までの間にカレンダー部５２を一つ以上設けて二次連続シートＳ２をカレンダー加工することができる。カレンダー部５２は一次薬液塗布手段８１の前段に設けても後段に設けてもよい。また、一次薬液塗布工程の前段及び後段の双方に設けてもよい。図示例では、双方に設けている。なお、図示例のプライマシンでは、前段のカレンダー部から後段のカレンダー部へシート搬送路を構成することで一次薬液塗布手段８１をバイパスすることができるように構成されている。このようにすると、薬液塗布タイプの製品以外の製品を製造する場合にもプライマシンＸ３を利用しやすい。すなわち、汎用タイプの製品用の二次原反ロールの製造と薬液塗布タイプ用の二次原反ロールの製造を上記シート搬送路の切り替えより容易に達成できる。
【０１０６】
カレンダー部５２におけるカレンダーの種別は、特に限定されないが、表面の平滑性向上と紙厚の調整の理由からソフトカレンダー又はチルドカレンダーとすることが好ましい。ソフトカレンダーとは、ウレタンゴム等の弾性材を被覆したロールを用いたカレンダーであり、チルドカレンダーとは金属ロールからなるカレンダーのことである。
【０１０７】
カレンダー部５２の数は、適宜変更することができる。複数設置すれば加工速度が速くとも十分に平滑化できるという利点を有する一方、一つであるとスペースが狭くとも設置可能であるという利点を有する。
【０１０８】
二つ以上のカレンダー部を設置する場合、水平方向、上下方向、或いは斜め方向に並設することができ、また、これらの設置方向を組み合わせて配置することができる。水平方向に並設すると、抱き角度を小さくなるため加工速度が高速とすることができ、上下方向に並設すると設置スペースを小さくすることができる。なお、ここで言う抱き角度とはロールの軸中心から見てシートが接している間（軸と直行する断面の円弧の一部）の角度を意味する（以下同じ）。
【０１０９】
カレンダー加工におけるカレンダー種別、ニップ線圧、ニップ数なども制御要因として抄紙を行うようにし、これらの制御要因は、求めるティシュペーパーの品質すなわち紙厚や表面性によって適宜変更することが好ましい。
【０１１０】
［シーズニング工程］
プライマシンＸ３にて製造した薬液が塗布された二次原反ロールＲは、次いで、図６に示すロータリー式インターフォルダＸ４に移送して、ロータリー式インターフォルダＸ４にて処理する。
【０１１１】
ここで、本発明においては、プライマシンＸ３にて製造した二次原反ロールＲを、ロータリー式インダーフォルダーＸ４に供給する前に、４〜８時間、保管庫などにおいてシーズニングすることができる。
【０１１２】
シーズニングとは、二次原反ロールＲを静置して、二次原反ロールＲに塗布した薬液をシートの十分に浸透させ時間をとることである。
【０１１３】
このシーズニングにより、二次原反ロールＲを構成する二次連続シートＳ２の平面方向、さらに厚み方向への薬液の浸透がなされ二次連続シートＳ２において、塗布された薬液の均質化が図られる。
【０１１４】
ここで、シーズニングを行なった際、その過程で二次原反ロールＲの吸湿が起きるが、本発明では後段のロータリー式インターフォルダＸ４においても薬液塗布を行なうため、一次薬液塗布工程８１における塗布量を少なくすることができ、もって吸湿を最小限に抑えることができる。そして、このように吸湿を抑えることができることから、吸湿にともなってクレープが伸ばされることも抑制され、製品の紙厚が低くなり厚み感が失われ、品質が損なわれることがない。
【０１１５】
また、吸湿を抑えることができるために、シーズニング後の二次原反ロールＲがしっかりとしたものであり、ロータリー式インターフォルダＸ４に移送する際に、二次原反ロールＲをクランプなどで挟持しても変形することがない。
【０１１６】
［ロータリー式インターフォルダにおける処理］
上記プライマシンＸ３にて製造された二次原反ロールＲは、図６に示すように示すように、ロータリー式インターフォルダＸ４の原反ロール支持部に回動自在に取付けられる。
【０１１７】
原反ロール支持部に取付けられた二次原反ロールからは、二次連続シートＳ３が巻きだされ、二次薬液塗布手段８２にて薬液を再度塗布した後、折畳み機構部８５へ供給され、そこで二次連続シートが適宜の間隔で流れ方向に裁断され、その裁断されたシートが折り畳まれてティシュペーパー束が形成される。この二次薬液塗布手段８２は、二次連続シートの巻き出しから折り畳み工程の直前までの間に位置する。ここでいう折り畳み工程とは、紙粉が発生するスリット工程、カット工程からフォールディングロールで折り畳まれる工程を指す。（なお、以下、ロータリー式インターフォルダにて二次原反ロールから巻き出された二次連続シートは符号Ｓ３を付与しプライマシンにおける二次連続シートＳ２と区別する。）
【０１１８】
なお、図６に示す本発明にかかるロータリー式インターフォルダＸ４には、折り畳み機構部の前段に好ましくトリム手段８６を有し、このトリム手段８６にて二次連続シートＳ３の両側縁部をカット除去し二次連続シートＳ３の幅を適当幅に調整している。
【０１１９】
このトリム手段８６は、トリムスリッター８７とその前段にエキスパンダーロール或いは幅方向中央から両側縁部に向かって湾曲的に又は非湾曲的に下り傾斜するロールからなる皺取りロール８８を具備する。
【０１２０】
このようにトリム手段８６を設ける場合には、二次薬液塗布手段８２は、このトリム手段８６の前段に位置させるのが望ましい。二次薬液塗布工程８２の後段で二次連続シートＳ３の両側縁部をトリムすることで、水分が周囲の影響を受けて高く、あるいは低くなりやすく、しわや傷入りの発生しやすい二次原反ロール端部をカットすることで折り畳み加工が安定するという効果を奏する。
【０１２１】
ここで、本発明の二段階での薬液塗布は、高速化されたインターフォルダにおいて顕著に効果を奏する構成である。もっとも従来の低速なロータリー式インターフォルダに上記二段階の薬液塗布を採用した場合においても、塗布品質に優れた高品位な薬液塗布タイプのティシュペーパー製品が製造される。
【０１２２】
ここで、ロータリー式インターフォルダにおける本発明にいう高速とは、少なくとも１５０ｍ／分以上の速度で連続シートが搬送されることを意味する。ティシュペーパーの生産性と本発明の効果との関係で定めれば、より好ましくは２５０ｍ／分以上、もっとも好ましくは２８０ｍ／分以上である。１５０ｍ／分以上とすることで旧来の低速なロータリー式インターフォルダと比較して生産性の面でのアドバンテージがある。但し、３００ｍ／分を超えると薬液塗布されたシートを安定して折り畳むことが難しくなる。
【０１２３】
ここで、加工速度を１５０ｍ／分以上とした場合には、上述の二次薬液塗布工程８２から、フォールディングロールによる折畳み完了までは、１．０〜２．１秒間とするのが望ましい。この秒数であれば一次薬液塗布の効果によって紙粉発生が確実に防止される。
【０１２４】
（コンタクトエンボス）
本発明のティシュペーパー製品Ｘ１の製造方法においては、シート（プライ）の剥離をし難くするコンタクトエンボス加工を施すことができる。
【０１２５】
このコンタクトエンボスは、ロータリー式インターフォルダＸ４の適宜の位置、好ましくは折り畳み機構部にて二次連続シートＳ３を裁断する直前においてエンボス凸部を有するエンボスロールと対をなすゴムロール等のエンボス受けロールを設けて付与することができる。
【０１２６】
このコンタクトエンボスにおける具体的なエンボスパターンは特に限定されない。例えば、点状、正方形、長方形、円形、楕円形等の形状の単位エンボス群からなるエンボスを、適宜連続シートの幅方向（カット後はこれに対応する方向）に線状に配置すればよい。
【０１２７】
単位エンボス群の配列としては等間隔が考えられるが、千鳥状としたり、等間隔としなくとも良く、また、コンタクトエンボスは１列に配置してもよいし、２列以上の複数列配置することも考えられる。なお、コンタクトエンボスは、かかるエンボスロールによる機械的に圧力を加えて接合する他に、超音波等の他の手段により接合してもよい。
【０１２８】
（スリット工程）
本発明のティシュペーパー製品Ｘ１の製造方法においては、折り畳み機構部８５の前段でかつ二次薬液塗布工程８２の後段にスリット手段（図示しない）を設けて、折り畳み機構部８５での二次連続シートＳ３を幅方向に裁断するに先立って、ティシュペーパー製品Ｘ１の幅となるように二次連連続シートＳ３を流れ方向にスリットしてもよい。スリット工程を行なうスリット手段は、二次連続シートＳ３の幅方向にティシュペーパー幅の間隔を開けて並設された複数のロールカッター及び受け部からなるスリット手段とすることができる。スリットされた各二次連続シートＳ３は折畳み機構部８５に供給して折畳みを行なえば、後述する裁断工程が不要になり生産性は向上する。
【０１２９】
（裁断工程）
折り畳み機構部８５にて形成された二次原反ロール幅或いは幅方向縁部がトリムされた二次連続シートＳ３の幅等の水系薬液含有の長尺ティシュペーパー束１０Ｃは、適宜の裁断工程（図示されない）によりティシュペーパー製品に適した長さ、例えば収納箱の長手方向より若干短い長さに裁断（切断）されてティシュペーパー束１０とされる。
【０１３０】
［一次薬液塗布工程と二次薬液塗布工程について］
上記一次薬液塗布工程及び二次薬液塗布工程は、それぞれ、フレキソ印刷、グラビア印刷、カーテン塗布、スプレー塗布、インクジェット印刷等の既知の薬液塗布方法・塗布手段を採用できる。（なお、本明細書において一次薬液塗布手段８１は一次薬液塗布工程を行なう装置・設備を意味し、二次薬液塗布手段８２は二次薬液塗布工程を行なう装置・設備のことである。）
【０１３１】
但し、一次薬液塗布手段８１は、プライマシンの高速運転において良好に薬液塗布が行えることからフレキソ印刷方式であるのが特に適する。
【０１３２】
また、二次薬液塗布手段８２は、紙面に刷版ロール等を接触させないことから紙粉が発生せず、直接的に薬液を紙面に付与する非接触方式であるのが特に適する。
【０１３３】
なかでも、二次薬液塗布手段８２として、特に好ましく採用できるのは、設備設置コスト、設備設置面積を小面積にすることが可能なスプレー塗布、特にローラーダンプニング噴霧方式によるスプレー塗布、薬剤塗布量や塗布面積、塗布パターンの管理精度が高くムラが発生し難いインクジェット印刷方式である。
【０１３４】
また、二次薬液塗布手段８２においては、塗布中の薬液の飛散防止等のために、例えば二次連続シートＳ３に対する薬液塗布手段部分近傍をフード９Ｆなどで覆うのが望ましい。特に、スプレー塗布、インクジェット印刷を採用する場合、これらの手段では、噴霧された薬液の飛散、噴霧方向の安定性において周囲の気流の関係を受けやすいことからかかるフード等を設けるのが特に望ましい。
【０１３５】
なお、本発明の薬液塗布手段８１，８２における具体的手段であるフレキソ印刷、スプレー塗布、インクジェット印刷の具体例は後述する。
【０１３６】
ここで、一次薬液塗布工程と二次薬液塗布工程における水系薬液の合計塗布量は、両面の合計の薬液塗布量で、１．５〜５．０ｇ／ｍ2とされ、好ましくは２．０〜４．０ｇ／ｍ2とされる。５．０ｇ／ｍ2超過であると、紙力低下や伸びなどにより断紙など操業性に支障をきたしたり、品質的に紙厚やウエブ嵩が低下したり、べたつき感が過ぎる場合も出てくる。１．５ｇ／ｍ2未満であると滑らかさやしっとり感など未塗布品との品質差を感じられなくなってしまう。
【０１３７】
なお、本発明においては、表裏面にほぼ同等量の薬液を塗布するのが基本であるが、二次原反シートの表裏差やその他の操業、品質上の事情により、表裏面において薬液塗布量が異なるようにしてもよい。
【０１３８】
特に、一次薬液塗布工程においては、シーズニングを行なうことができ、この場合、二次連続シートＳ２の厚み方向への薬液の均質化が図られることから、本発明の範囲内において低い坪量、シーズニング時間を長くとることにより片面塗布とすることができる。
【０１３９】
また、一次薬液塗布工程における水系薬液塗布量と二次薬液塗布工程における薬液塗布量の質量比３０：７０〜７０：３０（一次薬液塗布工程における水系薬液塗布量：二次薬液塗布工程における薬液塗布量）とするのが望ましい。
【０１４０】
すなわち、本発明では、一次薬液塗布工程と二次薬液塗布工程における水系薬液の合計塗布量を、両面の合計の薬液塗布量で、１．５〜５．０ｇ／ｍ2とし、一次薬液塗布工程における塗布量を０．５〜３．５ｇ／ｍ2（全薬液塗布量の３０〜７０％）、二次薬液塗布工程における塗布量を０．５〜３．５ｇ／ｍ2（全薬液塗布量の３０〜７０％）とするのが望ましい。このようにすると、一次薬液塗布工程後の原反ロールの変形等が防止されるとともに、二次薬液塗布工程において短時間で十分に二次連続シートＳ３内に薬液が浸透し紙粉の発生も確実に抑えられる。
【０１４１】
（水系薬液）
次いで、本発明に用いる水系薬液について説明する。本発明における水系薬液とは水及びポリオールを含むものであり、特にポリオールを７０〜９０％、水分を１〜１５％、機能性薬品を０．０１〜２２％含むものが望ましい。一次薬液塗布工程及び二次薬液塗布工程における水系薬液は同一の組成のものであるのが望ましいが、完全に同一である必要はない。但し、いずれの工程においても上記組成範囲の水系薬液を用いるのが望ましい。
【０１４２】
また、本発明の水系薬液塗布方法において上記水系薬液を使用する場合、水系薬液塗布時の水系薬液温度は３０℃〜６０℃、好ましくは３５℃〜５５℃とすることが好ましい。
【０１４３】
このため、水系薬液としては、４０℃での粘度が１〜７００ｍＰａ・ｓであるのが望ましい。より好ましくは５０〜４００ｍＰａ・ｓ（４０℃）である。１ｍＰａ・ｓより小さいと水系薬液が飛散しやすくなり、逆に７００ｍＰａ・ｓより大きいと安定した塗布量とするコントロールがしにくくなる。
【０１４４】
上記ポリオールとしては、グリセリン、ジグリセリン、プロピレングリコール、１，３−ブチレングリコール、ポリエチレングリコール、およびその誘導体等の多価アルコール、ソルビトール、グルコース、キシリトール、マルトース、マルチトール、マンニトール、トレハロース等の糖類が例示できる。
【０１４５】
上記成分のうち、グリセリン、プロピレングリコール等の多価アルコールを主成分とすることが、水系薬液の粘度、塗布量を安定させる上で好ましい。
【０１４６】
前記機能性薬剤としては、柔軟剤、界面活性剤、無機および有機の微粒子粉体、油性成分などがある。柔軟剤、界面活性剤はティシュペーパーに柔軟性を与えたり表面を滑らかにしたりする効果があり、アニオン性界面活性剤、カチオン性界面活性剤及び両性イオン界面活性剤を適用する。無機および有機の微粒子粉体は表面を滑らかな肌触りとする。油性成分は滑性を高める働きがあり、流動パラフィン、セタノール、ステアリルアルコール、オレイルアルコール等の高級アルコールを用いることができる。
【０１４７】
また機能性薬剤としてポリオールの保湿性を維持させる薬剤として親水性高分子ゲル化剤、コラーゲン、加水分解コラーゲン、加水分解ケラチン、加水分解シルク、ヒアルロン酸若しくはその塩、セラミド等の１種以上を任意の組合せ等の保湿剤を加えることができる。
【０１４８】
また機能性薬剤として香料、各種天然エキス等のエモリエント剤、ビタミン類、配合成分を安定させる乳化剤、水系薬液の発泡を抑え塗布を安定させるための消泡剤、防黴剤、有機酸などの消臭剤を適宜配合することができる。さらには、ビタミンＣ、ビタミンＥの抗酸化剤を含有させてもよい。
【０１４９】
［薬液塗布手段の具体例］
次いで、一次薬液塗布工程及び二次薬液塗布工程において採用される好適な薬液塗布方法・手段について説明する。以下、二次連続シートＳ２とＳ３の双方を意味する場合には、二次連続シートＳ２，Ｓ３と記載する（図中、同じ）。
【０１５０】
（フレキソ印刷）
一次薬液塗布工程及び二次薬液塗布工程における薬液塗布手段８１，８２としてはフレキソ印刷が採用できる。特に、フレキソ印刷方式は、高速かつ安定した薬液塗布が可能であり、プライマシンＸ３の速い加工速度に対応しつつ、しかも安定的な薬液塗布が可能であることから、一次薬液塗布工程において好適に採用される。本発明においてフレキソ印刷機の例は図７〜１３に示す。
【０１５１】
このフレキソ印刷は樹脂性の弾力性がある刷版を用いるため二次連続シートＳ２，Ｓ３の表面にクレープの多少の凹凸があっても印圧で調整可でありムラのない塗布が可能で、二次連続シートＳ２，Ｓ３にシワが入り難くなる。また、一つのロールで幅広い薬液の粘度に対応でき、管理、設備メンテナンスの点で利点がある。
【０１５２】
ここで、本発明における二次連続シートＳ２，Ｓ３に薬液を塗布する場合、十分な薬液塗布量としつつプライマシン或いはインターフォルダで操業性を悪化させないことを考慮すると、フレキソ刷版ロールの線数は１０〜６０線、好ましくは１５〜４０線、特に好ましくは２０〜３５線とする。線数が１０線未満であると塗布ムラが多く生じてしまい、他方、線数が６０線超過であると紙粉が詰まり易くなる。
【０１５３】
アニロックスロールの線数は、１０〜３００線とし、好ましくは２５〜２００線、特に好ましくは５０〜１００線とする。線数が１０線未満であると塗布ムラが多く生じてしまい、他方、線数が３００線超過であると紙粉が詰まり易くなる。アニロックスロールのセル容量は、１０〜１００ｃｃとし、好ましくは１５〜７０ｃｃ、特に好ましくは３０〜６０ｃｃとする。セル容量が１０ｃｃ未満であると所望の塗布量が得られず、他方、セル容量が１００ｃｃ超過であると薬液の飛散量が多くなってしまう。
【０１５４】
ここで、本発明では、各薬液塗布工程において安定的に薬液が塗布できることが重要であり、操業安定性に関わる上記刷版ロール及びアニロックロールの線数は重要である。従って、上記操業性を悪化させない各ロールの線数は、薬液塗布量以外にも重要な意義を有する。
【０１５５】
なお、貯留タンクに貯留した薬液をアニロックスロールへ薬液を移行させる方式としては、ドクターチャンバー形式、タッチロール形式など適宜の方法が採られる。これらのフレキソ印刷の各方式を採用した形態例を以下、さらに詳述する。
【０１５６】
≪ドクターチャンバー方式の実施形態例≫
フキレソ印刷におけるドクターチャンバー形式を本発明に適用した形態例を図７〜図１２を参照しながら説明する。本形態例では、二次連続シートＳ２，Ｓ３の表裏面に薬液を塗布すべく二つのフレキソ印刷機９１Ａ，９１Ｂを用いている。各印刷機９１Ａ，９１Ｂにおいては、薬液の入っているドクターチャンバー９２Ａ，９２Ｂが回転可能なアニロックスロール９３Ａ，９３Ｂと対向して配置されおり、ドクターチャンバー９２Ａ，９２Ｂからアニロックスロール９３Ａ，９３Ｂに薬液を受け渡すようになっている。また、このアニロックスロール９３Ａ，９３Ｂと接し且つ二次連続シートＳ２，Ｓ３の一面とも接する刷版ロール９４Ａ，９４Ｂが回転可能に設置されていて、このアニロックスロール９３Ａ，９３Ｂから刷版ロール９４Ａ，９４Ｂに薬液を受け渡すようになっている。そして、二次連続シートＳ２，Ｓ３を挟んでこの刷版ロール９４Ａ，９４Ｂと対向する弾性ロール９５Ａ，９５Ｂとで二次連続シートＳ２，Ｓ３に圧力を付与しつつ、刷版ロール９５Ａ，９５Ｂから二次連続シートＳ２，Ｓ３に薬液を塗布する。
【０１５７】
各ドクターチャンバー９２Ａ，９２Ｂは、供給ホース９６及び返送ホース９７を介して薬液Ｌを貯留する貯留タンク９８と連結されており、薬液循環経路の一部を構成する（以下、各印刷機９１Ａ，９１Ｂについて同様の構成を説明するについては、ドクターチャンバー９１Ａ（９１Ｂ）のように一方を括弧書きで表記する場合がある）。なお、貯留タンク９８は、各ドクターチャンバーで９２Ａ，９２Ｂ共有することができる。図示はしないが、薬液循環経路を循環する薬液中に含まれる紙粉やエアーのろ過装置、ドクターチャンバー９２Ａ、９２Ｂ等の塗布装置内で薬液の温度を監視・コントロールし、薬液粘度を安定させるための中間タンクや配管ヒーター、二次連続シートＳ２，Ｓ３の幅方向の水分率で塗布量を管理するための赤外線の検査機等を用いた紙幅方向の水分量とバラツキを監視するセンサ等を設置することができる。
【０１５８】
貯留タンク９８からドクターチャンバー９１Ａ（９１Ｂ）への薬液供給は、供給ポンプ９９によって供給ホース９６を介して加圧供給で行われ、薬液の押出量（流量）は、調整弁１００の開閉により調整される。また、ドクターチャンバー９１Ａ（９１Ｂ）から、貯留タンク９８への薬液の返送は、吸引ポンプ１０１によって返送ホース９７を介して行なわれる。
【０１５９】
また、ドクターチャンバー９１Ａ（９１Ｂ）は、薬液が貯留されるチャンバー部１０２及びブレード１０３，１０４を具備する。チャンバー部１０２はアニロックスロール９３Ａ（９３Ｂ）側の端部が開口しているとともに供給ホース９６及び返送ホース９７とが接続部１０５，１０６を介して連結されており、各ホース９６，９７を介して行なわれる薬液循環の際に薬液Ｌを貯留してアニロックスロール９３Ａ（９３Ｂ）に供給する。他方、ブレード１０３，１０４は、アニロックスロール９３Ａ（９３Ｂ）と当接するように設けられ、アニロックスロール９３Ａ（９３Ｂ）に押しつけた状態で薬液Ｌの絞りを行い、アニロックスロール９３Ａ（９３Ｂ）への薬液の供給量を一定とする。
【０１６０】
他方、図９に示すように、薬液Ｌの返送路となる返送ホース９７とチャンバー部１０２との接続部１０６の上面には、所定径の開口部分である孔部１０６ａが形成されており、この孔部１０６ａにより接続部内の薬液Ｌが外気接触し、吸引ポンプ１０１による薬液Ｌの吸引を行っても、薬液Ｌが外気接触して、チャンバー部１０２内の内圧を外気圧に近づけることができるように構成されている。これによってドクターチャンバー内の内圧変動が抑えれている。なお、当該孔部１０６ａは、チャンバー部１０２の内圧変動が抑えられればよいため、例えば、チャンバー部１０２の上面に連通するように形成してもよい。孔部１０６ａは、チャンバー部１０２の薬液Ｌの液面より上方であれば、側面に設けてもよい。
【０１６１】
また、孔部１０６ａにはチャンバー部１０２への薬液供給過多を判別するための判別手段が設けられる。判別手段は、例えば、孔部１０６ａ側を下端として、上方に延伸した透明又は半透明のチューブ状の部材１０６ｂが例示でき、薬液Ｌを循環する過程で、薬液Ｌが孔部を介して当該チューブ１０６ｂ内に流入するか否かを目視により確認することができる。チューブ１０６ｂ内への流入が確認された場合は、チャンバー部１０２に貯留される薬液量が過多になっている（アニロックスロール９１Ａ（９１Ｂ）に対して薬液Ｌが過供給状態となっている）ことが把握できる。したがって、上記過多の状態を目視で確認した使用者は、例えば、調整弁１００操作して薬液Ｌの押出量（流量）を調整することにより、当該過多の状態を解消することができる。なお、チューブ１０６ｂは、内部が空洞で上端側が外気に接触しているため、上記孔部１０６ａの作用を相殺してしまうことはない。
【０１６２】
なお、チューブ１０６ｂの上端（自由端）を下向きにして設けることで、孔部１０６ｂへの紙粉等の異物の混入を防止することができる。また、チューブ１０６ｂの上端或いは孔部にエアーフィルタを設置して紙粉等の異物の混入を防止するように構成してもよい。
【０１６３】
なお、薬液Ｌのチャンバー部１０２への過供給状態は、これを自動的に判別し、使用者に判別結果を報知するように構成してもよい。
【０１６４】
この自動判別するのならば、図１０に示すように孔部１０６ａの周縁を上方向に延出させた円筒状部１０６ｃにセンサ１０６ｄを取付け、このセンサ１０６ｄからの信号を受けて報知部から判別結果を報知する。
【０１６５】
センサ１０６ｄは、例えば、被検知体に向けて発光する発光素子（図示省略）と、被検知体からの反射光を受光する受光素子（図示省略）と、を含み、受光素子からの反射光の受光量に基づいて、円筒状部１０６ｃに流入する薬液Ｌの高さが、当該センサ０６ｄの設けられた高さ位置（図１０に示すｙ１）に達したか否かを検知する。
【０１６６】
報知部１０６ｅは、例えば、スピーカ等であり、センサ１０６ｄにより、円筒状部１０６ｃに流入する薬液Ｌの高さが、上記センサ１０６ｄの設けられた高さ位置に達したと検知された場合に、音声により使用者への報知を行う。
【０１６７】
本例では、過多の状態に至った場合には、使用者は報知部１０６ｅによりその旨を知ることができ、調整弁１００を操作して薬液Ｌの押出量（流量）を調整することにより、当該過多の状態を解消することが可能となる。
【０１６８】
さらに、図１１に示すように、薬液Ｌのチャンバー部１０２への過供給状態の判別は、自動判別機能に加えて、円筒状部１０６ｃにニードルバルブ及びオリフィスを備えるニードルバルブ構造の調整部１０６ｆを設けて、孔部１０６ｂの外気と接触する部分の開口の量を調整するように構成することができる。このように調整部１０６ｆにより、孔部１０６ｂの実質的な開口量を調整することにで、チャンバー部１０２内の内圧変動量に応じて、孔部１０６ｂの開口量を適宜に調整することができる。従って、センサ１０３ｅにより、円筒状部１０６ｃに流入する薬液Ｌの高さが、検出位置に達したときに、薬液Ｌの押出量の調整で対処するだけでなく、調整部１０６ｆによる孔部１０６ｂの実質的な開口量の調整によって、孔部１０６ｂのエアー抜きの能力を高めて（外気との接触面積を拡張して）、チャンバー部１０２内の内圧変動を抑える対処が可能となる。これにより、内圧変動によるチャンバー部１０２内からの薬液Ｌの噴出や、アニロックスロール９３Ａ（９３Ｂ）上の薬液Ｌのドクターチャンバー９２Ａ（９２Ｂ）側への吸込み等も好適に防止され、薬液Ｌの循環が促進される。
【０１６９】
他方、ドクターチャンバー方式のフレキソ印刷機は、アニロックスロール９３Ａ（９３Ｂ）は、ドクターチャンバー９２Ａ（９２Ｂ）のブレード１０３，１０４と当接するように設けられ、ドクターチャンバー９２Ａ（９２Ｂ）のチャンバー部１０２の開口より供給される薬液Ｌが周面に吸着されるように構成されている。
【０１７０】
刷版ロール９４Ａ（９４Ｂ）は、周面がゴム材などの樹脂製材からなる円柱状をなし、左右端部の周面（図８に示す点Ｐ１，点Ｐ２）がアニロックスロール９３Ａ（９３Ｂ）及び弾性ロール９５Ａ（９５Ｂ）（に巻きつけられる二次連続シートＳ２，Ｓ３）の周面に当接するように設けられ、回動可能に構成されている。
【０１７１】
刷版ロール９４Ａ（９４Ｂ）は、弾性ロール９５Ａ（９５Ｂ）がｒ１方向に回動することでｒ２方向に回動するとともに、右端で当接するアニロックスロール９３Ａ（９３Ｂ）をｒ１方向に回動させる。刷版ロール９４Ａ（９４Ｂ）は、アニロックスロール９３Ａ（９３Ｂ）の周面に吸着された薬液Ｌを点Ｐ２にて取得し、ｒ２方向への回動により点Ｐ１まで搬送して二次連続シートＳ２，Ｓ３に転写する。アニロックスロール９３Ａ（９３Ｂ）により吸着された薬液Ｌがアニロックスロール９３Ａ（９３Ｂ）の周面上に層状に不均一に残ってしまう場合でも、刷版ロール９４Ａ（９４Ｂ）の周面に移送させることで、二次連続シートＳ２，Ｓ３に薬液Ｌを均一に転写することができる。
【０１７２】
弾性ロール９５Ａ（９５Ｂ）は、刷版ロール９４Ａ（９４Ｂ）に隣接して設けられ、図示しないモータ等より駆動力が付与されることで回動する円柱状の部材であり、周面で二次連続シートＳ２，Ｓ３を把持できるように構成されている。そのため、弾性ロール９５Ａ（９５Ｂ）は、ｒ１方向に回動することにより、供給される二次連続シートＳ２，Ｓ３を周面に巻き付けるとともに、刷版ロール９４Ａ（９４Ｂ）及びアニロックスロール９３Ａ（９３Ｂ）を回動させ、点Ｐ１位置まで搬送した時点で刷版ロール９４Ａ（９４Ｂ）より薬液Ｌを転写させることができる。
【０１７３】
なお、弾性ロール９５Ａ（９５Ｂ）の回動の向きは、図８においてｒ１方向としたが、ｒ２方向に回動するように構成しても勿論良い。この場合、アニロックスロール９３Ａ（９３Ｂ）及び刷版ロール９４Ａ（９４Ｂ）は図８とは逆方向（つまり、アニロックスロール９３Ａ（９３Ｂ）：ｒ２方向、刷版ロール９４Ａ（９４Ｂ）：ｒ１方向）に回動する。
【０１７４】
ここで、図８に示す例では、チャンバー部１０２に供給ホース９６及び返送ホース９７が各一つのみ繋がる構成であるが、チャンバー部１０２内における幅方向の薬液Ｌを均質にすべく、好ましく図１２（Ａ）〜（Ｃ）に示す構造を例示できる。その図１２（Ａ）は、幅広に形成されて回転軸Ｒ０廻りに回転するアニロックスロール９３Ａ（９３Ｂ）に沿って幅広の長方形状に外枠が形成されたドクターチャンバー９２Ａ（９２Ｂ）の幅方向Ｄの左右端付近の箇所に、それぞれ供給ホース９６が連結され、中央部に返送ホース９７に繋がる構造例である。図１２（Ｂ）は、幅方向Ｄに３つの供給ホース９６と２つの返送ホース９７とが交互に等間隔で繋がる構造例である。図１２（Ｃ）は、チャンバー部１０２の上側寄りの複数箇所にそれぞれ供給ホース９６が繋がり、下側寄りの複数箇所にそれぞれ返送ホース９７繋がる構造例である。
【０１７５】
≪２ロール転写方式の実施形態例≫
次いで、フキレソ印刷における２ロール転写形式を適用した形態例を図１３を参照しながら説明する。本形態例でも、二次連続シートＳ２，Ｓ３の表裏面に薬液Ｌを塗布すべく二つのフレキソ印刷機９１Ｃ，９１Ｄを用いている。各印刷機９１Ｃ，９１Ｄにおいては、薬液Ｌの入っている薬液タンク９８Ｃ，９８Ｄに回転可能な絞りロールでもあるディップロール９２Ｃ，９２Ｄが浸され、このディップロール９２Ｃ，９２Ｄが薬液タンク９８Ｃ，９８Ｄ外で回転可能なアニロックスロール９３Ｃ，９３Ｄに接しており、適当に薬液量が調整され量の薬液をアニロックスロール９３Ｃ，９３Ｄに受け渡す。薬液Ｌをアニロックスロール９３Ｃ，９３Ｄに受け渡すに、ディップロール９２Ｃ，９２Ｄを介することから２ロール転写方式と称される。ここで、ディップロール９２Ｃ，９２Ｄは薬液タンク９８Ｃ，９８Ｄから薬液Ｌを取り上げるとともに過剰な薬液をそのままアニロックスロール９３Ｃ，９３Ｄに受け渡さないようにする調整する役割を果たす。
【０１７６】
アニロックスロール９３Ｃ，９３Ｄは刷版ロール９４Ｃ，９４Ｄに接しており、ディップロール９２Ｃ，９２Ｄから転写された薬液Ｌを刷版ロール９４Ｃ，９４Ｄに受け渡す。刷版ロール９４Ｃ，９４Ｄは回転可能に設置され、アニロックスロール９３Ｃ，９３Ｄと接しているとともに、二次連続シートＳ２，Ｓ３の一面とも接しており、二次連続シートＳ２，Ｓ３を挟んで対向する弾性ロール９５Ｃ，９５Ｄとで二次連続シートＳ２，Ｓ３に圧力を付与しつつ二次連続シートＳ２，Ｓ３に薬液Ｌを塗布する。
【０１７７】
この２ロール転写方式においては、アニロックスロール９３Ｃ、９３Ｄに対してドクターブレードを設けても良く、この場合、薬液Ｌを均一に塗布できる、アニロックスロール９３Ｃ、９３Ｄから薬液Ｌが飛散してしまうことを防止できるなどのメリットを享受できるが、この反面、ドクターブレードを手入れしたり交換したりしなければならないというデメリットが有る。
【０１７８】
なお、薬液タンク９８Ｃ，９８Ｄには、図示はしないが、薬液中に含まれる紙粉やエアーのろ過装置、薬液の温度を監視・コントロールし、薬液粘度を安定させるための配管ヒーター、二次連続シートＳ２，Ｓ３の幅方向の水分率で塗布量を管理するための赤外線の検査機等を用いた紙幅方向の水分量とバラツキを監視するセンサ等を設置することができる。
【０１７９】
≪１ロール転写形式の実施形態≫
次いで、フキレソ印刷における１ロール転写形式を本発明に適用した形態例を説明する。この例は、前述のフ２ロール転写形式からディップロールを省略したものである（図面は省略する）。この場合、アニロックスロールが、それぞれ薬液タンクに浸されつつ回転可能に設置される。また、これらのアニロックスロールに対しては、アニロックスロール表面の薬液を掻き取るドクターブレードを設置する。このようなフレキソ１ロール転写形式は、メンテナンスが比較的容易であるという利点や、ブレードの摩耗や薬液中の紙粉等の異物の混入状態を容易に目視できるという利点を有している。
【０１８０】
（スプレー塗布方式）
次に、本発明にかかる薬液塗布手段８１，８２として、スプレー塗布装置を用いる場合の例を図１４〜１７を参照しながら説明する。スプレー塗布は、設備設置コスト、設備設置面積を小面積にすることができることからコンパクトなロータリー式インターフォルダの利点を十分に発揮できることから二次薬液塗布工程で採用するのが望ましい。
【０１８１】
スプレー塗布は、ノズル式噴霧方式、ローターダンプニング噴霧方式等を採用することができる。好ましくは、後述するローターダンプニング噴霧方式である。
【０１８２】
スプレー塗布装置は、その方式によりノズルユニット或いはローターダンプニングユニット等を有する塗布ユニットを、その噴霧口が二次連続シートＳ２，Ｓ３に対して対面するようにして、複数を二次連続シートＳ２，Ｓ３の幅方向に並列し、各ユニットから水系薬液をいっせいに噴霧することで二次連続シートＳ２，Ｓ３に水系薬液を塗布するものである。  
【０１８３】
ノズル式噴霧方式における噴霧用ノズルの型式としては、環状に噴霧する空円錐型ノズル、円形状に噴霧する充円錐型ノズル、正方形状に噴霧する充角錐型、充矩型ノズル、扇型ノズル等が挙げられ、水系薬液が二次連続シートＳ２，Ｓ３の幅方向に対して均一に噴霧されるように、ノズル径、ノズル数、ノズル配列パターン、ノズル配置数、あるいは噴霧距離、噴霧圧力、噴霧角度、および噴霧液の濃度、粘度などを適宜選択して使用することができる。
【０１８４】
また、ノズル式噴霧装置において霧化する方法については、一流体方式、または二流体方式の２種類の方式を選択して使用することができる。このうち一流体噴霧方式は、噴霧する水系薬液に対して圧搾空気を用いて直接圧力をかけてノズルから霧滴噴射する、または噴出口付近のノズル側面に開けた微細な穴からノズル内に空気を吸引して霧滴噴射する方式である。また、二流体噴霧方式は、ノズル内部で圧搾空気を噴霧する液体と混合、微粒化する内部混合型、ノズル外部で圧搾空気を噴霧する液体と混合、微粒化する外部混合型、微霧化した霧滴粒子を相互に衝突させて、霧滴粒子をさらに均質化・微粒子化する衝突型等の方式が挙げられる。好ましい、ノズル式噴霧装置は、二流体噴霧方式である。
【０１８５】
その二流体噴霧方式のノズルユニット例は図１４に示すとおりであり、これを参照しながらさらに説明する。このノズルユニット１１０は、中心に水系薬液通路１１０Ａが、その周囲にエアー通路１１０Ｂが形成され、水系薬液通路１１０Ａ先端から噴出された水系薬液Ｌを、エアー通路１１０Ｂから吐出されたエアーにより微霧化するものであり、ほぼ円錐形状に水系薬液Ｌを噴霧するようにしたものである。１１０Ｃは外部の保護ケーシングであり、紙粉などからノズルを保護すると共に、必要によりパージエアー通路１１０Ｄを通すエアーによりノズルの清掃を行なうことができるようにしたものである。
【０１８６】
ここでスプレー塗布での水系薬液塗布では、噴霧した水系薬液の跳ね返りや二次連続シートＳ２，Ｓ３表面に随伴する空気などによって液滴が押し流され、液滴がシートＳ４の表面に付着しにくくなることがあるため、例えば、ノズル式であれば図１５に示すように、ノズルユニット１１０の周囲から、ケーシング１１０Ｅに形成したエアー供給路１１０Ｆから噴出させるエアー１１０Ｇにより、ノズルユニット１１０からの噴霧水系薬液を取り囲むようにして水系薬液を二次連続シートＳ２，Ｓ３に塗布するのが望ましい。
【０１８７】
次に、スプレー塗布のなかでも本発明に好適なローターダンプニング噴霧方式を説明する。ローターダンプニング噴霧方式は、特に図１６〜１７に装置例１４０を示すように、複数のローターダンプニングユニット１４１が二次連続シートＳ２，Ｓ３の幅方向に並列されている。
【０１８８】
各ローダーダンプニングユニット１４１は、噴射部１４２を有する流体室１４３が高速に回転され、その流体室１４３内に薬液を送り出して、遠心力によって流体室内の薬液を噴射部１４２から放出させて微霧滴化する。前記流体室１４３の回転数変更によって霧滴粒子径の制御を行い、流体室への送液量変更によって噴霧液量（塗布量）の制御を行なう。ローターダンプニング噴霧方式は、少ない量の噴霧液量を霧滴の飛散を抑えつつ、二次連続シートＳ２，Ｓ３表面に均一に塗布することができ、かつ噴霧速度や霧の粒子径等の調整が容易である利点がある。
【０１８９】
図示例の本形態体のローターダンプニングユニット１４１では、好ましく噴霧口１４４の開閉を行なうシャッター１４５が設けられており、このシャッター１４５の開閉により噴霧の有無の制御をすることが可能となっている。
【０１９０】
ここで、ローターダンプニングユニットを、二次連続シートＳ２，Ｓ３の流れ方向に直行するように複数並べ、走行する二次連続シートＳ２，Ｓ３に対して垂直に設置する場合、噴射孔の間隔は好ましくは５０〜１５０ｍｍである。
【０１９１】
他方、水系薬液を二次連続シートＳ２，Ｓ３表面に均一に噴霧塗布するためには、霧化された水系薬液の霧滴粒子径はできる限り微小であることが好ましい。しかしながら、霧滴が細かくなりすぎると噴霧した空気の跳ね返りや二次連続シートＳ２，Ｓ３表面に随伴する空気などによって霧滴が押し流され、霧滴が二次連続シートＳ２，Ｓ３表面に付着しにくくなる。このため、噴霧塗布方式においては噴霧距離、噴霧圧力、噴霧角度、噴霧速度を、加えて二流体方式の場合には、噴霧用の水系薬液と圧搾空気の混合比、および水系薬液の濃度や粘度等を適宜調節し、塗布条件に適した粒子径に調節することができ、さらに噴霧時に随伴空気の影響が大きい場合は、随伴空気を除去するための吸引装置や邪魔板（整流板）、上述のフード等の設置、および噴霧ノズル先端に高電圧を加えて霧滴粒子を帯電させて、顔料塗被紙への霧適の付着性を向上させる荷電電極（静電噴霧方式）などを追加してもよい。
【０１９２】
なお、スプレー塗布方式を採用する場合の好ましい霧滴粒子の重量平均粒径を例示すれば、２０〜１５０μｍである。
【０１９３】
また、二次連続シートＳ２，Ｓ３表面に塗布されずにミストとして浮遊している霧滴粒子は、吸引・回収して再度噴霧することができる。
【０１９４】
（インクジェット印刷方式）
次に、本発明にかかる薬液塗布手段８１，８２として、インクジェット印刷機１３０を用いる場合の例を説明する。インクジェット印刷機１３０は既知のものが使用できる。
【０１９５】
なお、インクジェット印刷方式は、薬剤塗布量や塗布面積、塗布パターンの管理精度が高くムラが発生し難いため、シーズニング工程を介さず薬液塗布直後に折り畳み工程となるロータリー式インターフォルダでの二次薬液塗布手段に採用するのが望ましい。
【０１９６】
本実形態のインクジェット印刷機１３０を、図１８〜１９を参照して説明すれば、水系薬液Ｌの入っているタンク（図示されない）が供給路１３１を介してインクジェットヘッド１３２に接続された構造とされ、前記タンクから供給ポンプ（図示しない）によりインクジェットヘッド１３２に水系薬液が供給されるようになっている。
【０１９７】
前記インクジェットヘッド１３２の被塗布材である裁断されたシートＳ４と対向する部分には、このシートＳ４の幅分に少なくとも対応する形で、複数のノズル孔１３４を直線的に並んで設けているノズル板１３３が配置されている。
【０１９８】
ここで前記ノズル孔１３４から二次連続シートＳ２，Ｓ３までの間隔は１〜１０ｍｍ、より好ましくは１〜３ｍｍとするのが望ましい。インクジェット印刷方式では、各ノズル孔１３４から噴射される液滴が極少量であるため周辺気流の環境を受けやすいが、１〜１０ｍｍ、より好ましくは１〜３ｍｍとすれば、その影響は格段に小さい。一般的なフルカラープリンターの紙とノズルの間隔は１〜１．５ｍｍである。人の目は輝度の差異やグラディエーションの表現に敏感であるため、４〜６色の減色混合による十分な色彩表現を得るのにはドット位置の精度は数μｍ以内を求められている。これに対し本発明の水系薬液塗布ではドット位置の精度は１００μｍ以内で十分均一な塗布品質が得られる。
【０１９９】
そして、このインクジェットヘッド１３２内には、噴射ユニット１３５が各ノズル孔に対応して複数配置され、各噴射ユニット１３５は、ノズル孔１３４から射出するための水系薬液を一時的に貯める流体室１３６と、この流体室１３６を挟んでノズル板１３３と対向する部分に配置された振動板１３７とを有し、振動板１３７に当接して流体室１３６外に配置され且つピエゾ素子等により形成される圧電素子（図示されない）とを有している。
【０２００】
前記圧電素子には、配線を介して制御装置１３８が接続されていて、この制御装置１３８から所定の間隔で圧電素子に電圧が付与されるようになっている。
【０２０１】
かかる構造により、タンクからインクジェットヘッド１３２に供給された水系薬液は、各ノズル孔１３４に対応して存在する流体室１３６内に送り込まれるようになっていて、必要に応じて制御装置１３８が圧電素子に電圧を加えることで、各ノズル孔１３４から一斉に水系薬液が噴射されることになり、これに伴い、二次連続シートＳ２，Ｓ３の一方の面における幅分全体に亘って水系薬液が塗布されことになる。
【０２０２】
また、本発明のインクジェットヘッド１３２内に圧空１３５が送気するように構成され、前記噴射ユニット１３５から噴射された液滴がノズル孔１３４から圧空にのって二次連続シートＳ２，Ｓ３に向かうように構成され、紙粉がノズル孔に詰まるのを防止するように構成されている。
【０２０３】
尚、上記実施形態では、インクジェットの形式として、オンデマンド方式でピエゾ素子を採用した構造を説明したが、サーマルジェット型を採用しても良い。更に、オンデマンド方式の替りに連続して噴射可能なコンティニュアス方式の噴射装置を採用しても良い。
【０２０４】
ただし、好ましいのは、電子制御によるオンデマンド方式であり、これによって幅方向、流れ方向における塗布量変更が容易となる。
【０２０５】
ここで、本発明においてインクジェット印刷方式を採用して水系薬液塗布する場合のより好ましい条件は、ノズル孔からのインク液滴の粒子速度は５〜２０ｍ／秒程度、一つのインク液滴の容量は５〜５０ｐｌ／個である。
【０２０６】
さらに、インク液滴は流れ方向、幅方向に２０〜２００μｍ間隔で液滴を塗布するのが望ましい。これにより塗布量が増減しても実質的に均一な塗布が可能である。幅方向のノズル間隔は１２８〜１０８０ｄｐｉ（５〜４２ライン／ｍｍ、１２８ｄｐｉ×１段〜３６０ｄｐｉ×３段式）とする。
【０２０７】
一例を示せば、加工速度が分速２５０ｍの場合、インク液滴の粒子速度１０ｍ／秒、一つのインク液滴容量１０ｐｌ／個、幅方向のノズル間隔１０８０ｄｐｉとして、インクジェット噴射頻度は５×１０4ドット／秒／ライン程度である。
【０２０８】
［ロータリー式インターフォルダの具体的構成について］
以上、本発明にかかる薬液塗布について説明したが、本発明は１５０ｍ／分以上の速度で運転するロータリー式インターフォルダにおいてティシュぺーパー製品を製造する際に顕著な効果を奏するのであり、ロータリー式インターフォルダの高速化達成技術自体は限定されるものではないが、本発明者らは、本発明の薬液二段塗布との関係で顕著な効果を奏する、ロータリー式インターフォルダの高速化技術についても新たに知見したので、かかる高速化ロータリー式インターフォルダの構成についても説明する。
【０２０９】
なお、ロータリー式インターフォルダにおける高速化は、主にロール群の構成によりシートにロール上でたるみを形成しないようにする、バキューム機構によりロールへのシートの吸引性を高める、サーボ技術により複数のロールの速度を調整することにより達成される。
【０２１０】
下記に本発明において好適に採用できる高速化に適するロータリー式インターフォルダの折り畳み機構部例１〜４を示す。
【０２１１】
なお、折り畳み機構部はロータリー式インターフォルダの一部であり、本発明においては上述のとおり二次薬液塗布工程を経た二次連続シートＳ３がこの折り畳み機構部に連続的に供給される。
【０２１２】
《ロータリー式インターフォルダの折り畳み機構部例１》
本発明にかかるロータリー式インターフォルダの折り畳み機構部例１を図２０及び２１を参照しながら説明する。
【０２１３】
この機構部例１は、ベッドロール７１、ナイフロール７２、ラップロール７３、フォールディングロール７５、プレッシャーロール７６の各ロールを一対具備し、さらに好ましく  テールロール７４を具備する（図においてフォールディングロール以外のロールについては一方のみを図示する）。
【０２１４】
また、各ロールはサーボモータにより駆動され、各サーボモータの回転速度、周速を各々電子制御により調整して、シートの張力等に合わせ周速を調整可能となっている。これによりロール間でのシートの受け渡しのタイミングを一定に保つことが可能となっている。
【０２１５】
前記ベッドロール７１は、二次連続シートＳ３を、二次連続シートＳ３のリード端部を爪で掴んだまま、或いは二次連続シートＳ３をバキューム孔７８を介して自身の中心方向に吸引するバキューム機能によって（図示例はバキューム機能による）ロール表面に保持しつつ搬送し、後段のロールへと受け渡すものである。
【０２１６】
ナイフロール７２は、表面にカッター刃７２Ｃを具備し、前記ベッドロール７１と対をなして回転して、その刃７２Ｃを適当間隔でベッドロール７１上を搬送されてくる二次連続シートＳ３に接触させて、二次連続シートＳ３をシート幅方向に裁断する。この裁断幅は、ティシュペーパー製品の幅（長さ）である。従って、ベッドロール７１上を搬送されてくる二次連続シートＳ３はこのナイフロール７２のカッター刃７２Ｃとの接触によって上流の二次連続シートＳ３から切り離される。
【０２１７】
カットされたシートＳ４は、ベッドロール７１上に保持されつつ搬送され後段のラップロール７３に受け渡される。受け渡しはロータリー式インターフォルダで採用されるロールからロールへの既知の受け渡し技術が採用される。例えば、ベッドロール７２とラップロール７３との近接時にベッドロール７２のバキュームを停止し、ラップロール７３において自身の内部方向への吸引が開始される技術等である。
【０２１８】
プレッシャーロール７６は、ベッドロールとともにベッドロール上に保持されるシートを挟持するものであり、このプレッシャーロール７６の存在によりベッドロール７１における吸引能力を上げつつシートをカットしてもシートがばたつかず、順次前端から後端にむかってシートがベッドロール７１上に吸引された確実に保持されるようになる。また、プレッシャーロール７６とベッドロール７１とによって二次連続シートの先端部が挟持された状態でナイフロール７２によるカットが行なわれるため、カット時のシートが後方（原反ロール方向）に引っ張られることが防止されるとともに張力変動を効果的に吸収でき、カット時におけるシートのばたつきも防止される。
【０２１９】
ラップロール７３は、ベッドロール７２から受け渡されたシートＳ４を表面に保持しつつ搬送し、その搬送するシートＳ４の回転方向前縁部を、ラップロール７３より減速して回転する対応するフォールディングロール７５に移行させる。この受け渡しは所定位置においてシートの回転方向前縁部のバキュームの停止、或いは気体の噴射、機械的なシート把持機構などの既知の技術が採用される。
【０２２０】
図示例のラップロール７３では、シートの回転方向前縁部、回転方向後縁部とこれらの間の２点以上を保持するようにバキューム孔７１０，７１０が形成されており、シートを確実にラップロール７３上の保持することが可能となっている。
【０２２１】
なお、図には表れないがロータリー式インターフォルダのロールにおけるバキューム孔は周知のとおりロールの軸心方向に沿って、その表面に点在的に配置されるものであり、本発明及び本明細書におけるバキューム孔もそのように構成されている。したがって、回転方向前端部、回転方向後端部とこれらの間の２点以上を保持するようにバキューム孔が形成されているとは、シートの回転方向前端部等を保持する位置に、ロールの軸心方向に沿ってバキューム孔が複数配されていることを意味する。この孔の数は適宜の設計事項である。
【０２２２】
必要に応じて具備されるテールロール７４は、ラップロール７３に近設され、ラップロール７３及び後段のフォールディングロール７５より小径である。テールロール７４は、ラップロール７３から前記回転方向前縁部がフォールディングロール７５に移行されたシートの回転方向後縁部（テール）が移行され、当該シートの回転方向後縁部を自身の表面に保持する。保持機構は上述のベッドロール等と同様である。
【０２２３】
上述のラップロール７３とフォールディングロールか７５の回転速度の差と、シートＳ４の回転方向前縁部をフォールディングロールに移行した後、回転方向後縁部（テール）をテールロールに移行させることにより、ラップロール７３、テールロール７４及びフォールディングロール７５によってシートＳ４にたるみ部（バブルとも称される）Ｓｔを一次的に形成する。
【０２２４】
また、ラップロール７３からフォールディングロール７５へのシートＳ４の回転方向先端側部分の移行は、先のシートの回転方向後縁部がラップロール７３からたるみ部を形成しつつテールロール７４上に移行されている際に行なわれる。
【０２２５】
そして、先のシートの回転方向後縁部がテールロール７４からフォールディングロール７５上に移行される際には、その部位には後のシートの回転方向前縁部が存在している。
【０２２６】
従って、テールロール７４からフォールディングロール７５に完全にシートが移行されると、フォールディングロール７５上では、先のシートの回転方向後縁部の下方（フォールディングロール側）に、後のシートの回転方向前縁部が位置して重なり合った（ラップされた）状態となる。
【０２２７】
フォールディングロール７５は、一部が重なりあったシート群を折畳むものである。一対のフォールディングロール７５，７５は互いに近接され、同様に対となるフォールディングロール上を移行してくる一部が重なりあいつつ送られてくるシート群とを自身のシート群とを重ね合わせ、その重ね合わせ部で各シートの縁部を相互に押し合う（引き合う）ようにしてシート群を折り畳む。
【０２２８】
このように本発明にかかる高速化ロータリー式インターフォルダは、シートをカットするナイフロール７２及びベッドロール７１とラップロール７３とを分離することで、ラップロール７３におけるバキューム能力の向上させることができ、さらに各ロールをサーボによって個別にその速度を管理することで高速化が達成されている。
【０２２９】
その上、ラップロール７３、フォールディングロール７５及びテールロール７４によりたるみ部を一時的に形成することで、先のシートと後のシートの一部を重ね合わせるようにしつる移行させ、かかる一部が重ね合わされたシート群をフォールディングロールで折り畳むようにすることで、きわめて高速な操業を可能となっている。
【０２３０】
《ロータリー式インターフォルダの折り畳み機構部例２》
高速化に適するロータリー式インターフォルダの折り畳み機構部例２を図２２に示す。このロータリー式インターフォルダは、ベッドロール７１、ナイフロール７２、第１プルロール７８Ａ、第２プルロール７８Ｂ、遅延ロール７９Ａ、ニップロール７９Ｂ、ラップロール７３Ａ、カウントロール７３Ｂを各一つ有し、さらに一対のフォールディングロール７５，７５を有する。必要に応じて適宜の抑えロールＲを有する。
【０２３１】
この折畳み機構部例２は、その初段に、二次連続シートＳ３を受ける第１プルロール７８Ａ及び第２プルロール７８Ｂを有する。第１プルロール７８Ａ及び第２プルロール７８Ｂによるニップされつつ二次連続シートＳ３がこれらのロール間を通過し、第２プルロール７８Ｂとベッドロール７１間にニップされつつベッドロール上に供給される。
【０２３２】
ベッドロール７１及びナイフロール７２の関係は、上記ロータリー式インターフォルダの折畳み機構部例１と同様であるが、本形態では、上記折り畳み機構部例１と異なり、ナイフロール７２とベッドロール７１とによる二次連続シートＳ３のカット時に、二次連続シートＳ３の後方（原反ロール側）が第２プルロール７８Ａとベッドロール７１とのニップ、さらに第１プルロール７８Ａと第２プルロール７８Ｂとのニップにより保持される。これにより、カット時のシートが前方に引っ張られることが防止されるとともに張力変動を効果的に吸収でき、カット時におけるシートのばたつきが防止される。
【０２３３】
さらに、ナイフロール７２によりカットされたシートＳ４はベッドロールの吸引機構により保持されつつ搬送され、さらにベッドロールによって後段のロールへと搬送される。
【０２３４】
本機構部例２におけるベッドロールの直近後段のロールは、ベッドロール７１より遅い速度で回転する遅延ロール７９Ａである。
【０２３５】
ここで、本機構部例２では、ベッドロール７１と遅延ロール７９Ａのニップ位置よりも、ベッドロール７１の進行方向側で所定間隔離れた位置にニップロール７９Ｂが存在し、これらニップロール７１と遅延ロール７９Ａとニップロール７９ＢとによってシートＳ４を挟持可能に位置構成されている。かかる構成のうえ、ベッドロール７１から遅延ロール７９Ａにシートを受け渡す際に、まずシートＳ４の回転方向前縁部がベッドロール７１から遅延ロールに受け渡され、回転方向後縁部は一旦ニップロール７９Ｂに移動されたのち、順次遅延ロール７９Ａとでニップするように構成されている。
【０２３６】
そして、前記回転方向後縁部がベッドロール７１からニップロール７９Ｂ経由で遅延ロール７９Ａに受け渡される際その位置には、後続のシートＳ４の回転方向前縁部がすでにベッドロール７１から遅延ロール７９Ａに受け渡されており、これによって遅延ロール７９Ａ上において、先のシートの回転方向後縁部の下方に、後のシートの回転方向先端側縁部が位置して重なり合った（ラップされた）状態となる。
【０２３７】
遅延ロール７９Ａの後段には、ラップされたシートが搬送されるラップロール７３Ａが存在し、重ね合わされたシートを進行させ、カウントロール７３Ｂとともに後段のフォールディングロール７５，７５へと移送する。図示例においては、ラップロール７３Ａとフォールディングロール７５，７５の途中には一対の抑えロールＲ，Ｒが位置し、これらの間を通過するように構成されている。
【０２３８】
フォールディングロール７５，７５は同様の構成のものが近接して一対二つ配され、前記一部重ね合わされたシート群はこの近接部分に上方から移送される。本例のフォールディングロール７５，７５は、各ロール７５，７５にシートを保持するグリップ機構（摘み機構）とタッカー機構と具備するシート保持機構を有し、一部重ね合わされて送られてくるシートＳ４のシート前縁部及びシート後縁部を当該近接位置において一枚おきに、対となるドールディングロールが交互にそのシート保持機構により保持し開放しつつ下方に移送する。
【０２３９】
この各ロールのシートの搬送と所定位置における当該縁部の挟持・開放により、各フォールディングロール間の下方にティシュペーパー束が形成される。
【０２４０】
以上の本機構部例２においては、遅延ロールとニップロールとベッドロールによるシートの一部重ね合わせにより高速化が達成できる。また、第１の機構部例と同様に、カットと折畳み、シートの重ね合わせが別工程となるためシートのばたつきが防止されるとともに、確実にシートをロール表面に保持することができる。
【０２４１】
もちろん、本機構部例２においても、各ロールはサーボ機構により制御し、ラップロール、ベッドロールにおける吸引力をも強くすることができる。また、各ロールにおけるバキューム孔の位置についても第１の機構部例と同様に、適宜シートの前端部分、後端部分、それらの中間部分に設けることができるし、望ましい。
【０２４２】
以上より本機構部例２も高速化が可能である。
【０２４３】
《ロータリー式インターフォルダの折り畳み機構部例３》
高速化に適するロータリー式インターフォルダの折り畳み機構部例３を図２３に示す。
【０２４４】
この機構部例３は、折り畳み機構部例１と同様に別々の二次連続シートＳ３を互に折り畳むように構成される。本例では各ロール群は左右一対あるので共通する点については一方のみについて説明する（図においてはフォールディングロール２５以外のロールについては一方のみを図示する）。
【０２４５】
まず、本折り畳み機構部例３においては、二次連続シートＳ３は、第１プルロール７８Ａに搬送され、さらに第２プルロール７８Ｂへと引き込まれ、さらに第２プルロール７８Ｂからナイフロール７２に受け渡される。
【０２４６】
次に、ナイフロール７２では、二次連続シートＳ３がバキュームによって吸引保持され、さらに後段の移送ロール７１Ａに受け渡される。
【０２４７】
ナイフロール７２には適宜の間隔でカッター刃が設けられ、移送ロール７１Ａには当該カッター刃に対応する位置にそのカッター刃を受ける受け機構７１ａが設けられている。
【０２４８】
そして、前記ナイフロール７１から移送ロール７１Ａへの二次連続シートＳ３の受け渡し時にカッター刃７２Ｃによって切断される。
【０２４９】
また、ナイフロール７２から移送ロール７１Ａへの受け渡しは、バキュームの吸引差により行われる。さらに、移送ロール７１ＡにおいてはシートＳ４の回転方向前縁部を保持する溝部７１ｂが設けられており、シートＳ４の回転方向前縁部は、この溝部に位置されて確実に保持される。また、前記二次連続シートＳ３の切断は、前記ナイフロール７２のカッター刃７２Ｃが受け機構７１ａに入り込むようにして行われる。これにより、シートＳ４の切断と保持が行われる。
【０２５０】
さらに、本例の折り畳み機構部例３では、ナイフロール７２に設けられた複数のカッター刃間に溝部７２ａが形成されているとともに、前記移送ロール７１Ａに突起部７１ｃが形成されており、前記溝部７２ａに突起部７１ｃが入りこむことでシートＳ４に折筋を形成するように構成されている。
【０２５１】
次に、シートＳ４は移送ロール７１Ａからフォールディングロール７５へと移送される。この移送は、バキュームによって行われる。移送ロール７１Ａからフォールディングロールへ７５のシートの移送については、移送ロール７１Ａの溝７１ｃに位置されているシートＳの縁部がタッカー機構及びバキュームによってフォールディングロール７５に移送される。
【０２５２】
また、フォールディングロール７５には周縁に溝部７５ａを有し、そこにグリップ機構（摘み機構）が形成されている。そして、移送ロール７１Ａの突起部７１ｃはフォールディングロール７５の溝部７５ｃに入りこむようにロールの大きさ位置関係に形成されている。これにより、移送ロール７１Ａの突起部７１ｃ上に位置するシート部位（ナイフロールの溝部とで折り筋が形成されている部分）がフォールディングロール７５の溝部７５ａに入りこみ、そのときにグリップ機構によって当該部位が保持される。
【０２５３】
そしてフォールディングロール７５は、その部位を保持しつつ回転し、所定位置でシート縁部の解放と当該部位の解放を行う。この所定位置は、対となるフォールディングロール７５，７５との関係で定まる。例えば、対となるフォールディングロールと最近接位置においてグリップ機構を解放する。そのとき、対となるフォールディングロールはシート縁部の解放を行う。このような対となるフォールディングロールの近接位置における折り部と縁部との解放を交互に行うことで、対となるフォールディングロール７５，７５の近接位置の下方にティシュペーパー束が形成される。
【０２５４】
本機構部例３では、折り筋の形成及びシート縁部の把持・開放、さらに折りと連続シートの切断の非連続性、フォールディングロール、移送ロールにおける吸引能力の強化の達成により高速化が可能である。もちろん、本機構部例においても各ロールをサーボ機構によりその周速を調整する。また、ロールにおけるバキューム孔の位置についても第１の機構部例と同様に、適宜シートの前端部分、後端部分、それらの中間部分に設ける。
【０２５５】
なお、加工速度など他の点については第１及び第２の機構部例と同様である。
【０２５６】
《ロータリー式インターフォルダの折り畳み機構部例４》
次いで、高速化に適するロータリー式インターフォルダの折り畳み機構部例４を図２４及び図２５を参照しながら説明する。
【０２５７】
この機構部例４は、前記バキューム孔２７１Ａがシートの前端部分、後端部分、バキューム孔２７１Ｂがそれらの中間部分に設けられている。そしてこれらのバキューム孔２７１Ａ，２７１Ｂの回転に伴って吸引（負圧）を付与するバキューム領域２７０Ａ、２７０Ｂが２つあり、それらバキューム領域の一つ２７０ＡはカットシートＳ４の前後端部の吸引孔２７１Ａに、もう一つ２７０ＢはカットシートＳ４の前後端部の中間のバキューム孔に連通している。これら各バキューム領域間の吸引力制御と各ロールのサーボ機構による周速調整により、フォールディングロール上におけるシートの吸引保持を制御でき、カット時、移送時のシートズレが防止され、さらにシートの折り精度が高められている。
【０２５８】
なお、各バキューム領域２７０Ａ，２７０Ｂとバキューム孔２７１Ａ，２７１Ｂとの関係は、特に図２７に示すとりであり、各バキューム孔２７１Ａ，２７１Ｂがフォールディングロール７５内のバキューム路２７２Ａ，２７２Ｂを介して、フォールディングロール７５の端面部分に設けられたバキューム領域２７０Ａ，２７０Ｂに連通するように構成され、さらに各バキューム領域２７０Ａ，２７０Ｂが真空ポンプなどの真空源に連結されている。
【０２５９】
すなわち、高速化達成のためにバキューム制御を精密にすべくバキューム路２７２Ａ，２７２Ｂを増加させ（図示例では図２９の旧式３路に対して６路に増加）る。なお、これにともなって内部空洞容積が増加し、また、高速運転ではシートの遠心力や風の煽りによりシートがずれる心配があるため、真空ポンプの能力は従来よりも強くする必要があるが、本発明では、バキューム制御を精密に行えるため十分に対応できる。
【０２６０】
制御を精密にするためには、例えば、真空源を各フォールディングロール毎に設ければ、吸引力の調整、吸引力の向上が達成できる。さらに、真空源をバキューム領域毎に設ければより一層吸引操作を精密に操作することが可能となる。
【０２６１】
なお、フォールディングロール７５の端面に回転に対応するバキューム領域２７１Ａ，２７１Ｂを形成するにあたっては、既知のメカニカルバルブ機構を採用できる。
【０２６２】
なお、本機構部例４を採用することで、旧式ロータリー式インターフォルダに対する明確な有利な点となる真空度については、具体的には、マイナス１０〜２０ｋＰａであり、真空ポンプ能力は、旧来の８．５ｍ3／分×２００Ｈｇ×１９１０ＲＰＭ×８０Ａの１．５〜２倍程度に引き上げることが可能である。これによりシートの保持性が高められる。
【０２６３】
なお、バキューム孔の配置は適宜の設計事項であるが、直径５ｍｍ程度、フォールディングロールの幅方向に１５〜２０ｍｍ間隔で設ければよい。
【０２６４】
また。メカニカルバルブ機構は、耐磨耗性のよい樹脂、セラミック製でオンジナオイル等の潤滑剤を使用するのが望ましい。
【０２６５】
さらに、メカニカルバルブ（バキューム領域形成部）をフォールディングロール両端部毎に複数個として、バキューム制御を精密に制御すればより高速化が達成できる。
【０２６６】
以上の構成の機構部例４によっても高速稼働が可能となり、本発明の２段階塗布を有利なものとすることができる。
【０２６７】
《ロータリー式インターフォルダの折り畳み機構部例５》
高速化に適するロータリー式インターフォルダの折り畳み機構部例５を図２６及び図２７を参照しながら説明する。本機構部例は、本機構部例５もフォールディングロール上でシートをカットする例である。本機構部例５では、機構部例５に対して第１プルロール７８Ａと第２プルロール７８Ｂとを設けて、シートカット時のテンションコントロールを精密にしたものである。なお、図示例では、フォールディングバーを具備する形態ではなく、第１から第４の機構部例と同様に掴み機構によるシート縁部の把持・開放による折畳みを行なう形態となっている。もちろんフォールディングバーを採用することもできる。
【０２６８】
本機構部例５のその他の構成は、機構部例４と同様である。本機構部例５は、機構部例５の構造によってバキューム制御が精密となりまたバキューム力を向上させることが可能であることからプルロール７８Ａ，７８Ｂによってシートカット時のテンションコントロールをより精密に行えるようにしたものである。
【０２６９】
なお、本機構部例５においては、図２７に示すように、さらにフォールディングロール７５，７５とカッター刃７２Ｃ，７２Ｃによってシートをカットする際に二次連続シートＳ３の進行方向前端をフォールディングロール７５とプレッシャーロール７６とで挟持する。本機構部例５では、シートカット時における安定性が高まり高速化がより達成しやすくなる。
【０２７０】
《ロータリー式インターフォルダの高速化》
以上、高速化に適するロータリー式インターフォルダの折り畳み機構部例を述べたが、本発明のロータリー式インターフォルダＸ４はこの例に限定されない。もちろん、本発明の範囲において上記各例において相互に構成を変更してもよい。例えば、折畳み機構例４においてグリップ機構、カッター機構を採用することもできるし、折畳み機構例２や３において真空源、バキューム領域を適当数設けてそれらを制御してもよい。
【０２７１】
すなわち、本発明において、ロータリー式インターフォルダＸ４を高速化するには、折り畳み機構部を以下のように構成するのが望ましい。
【０２７２】
まず、ナイフロール等でシートがカットされる時点およびそれ以降、シートを各ロール表面に備わっているバキューム孔（真空吸引口）により保持しつつ、各ロールを回転させるにあたって、各ロールの駆動をサーボモータにより行い、その速度を調整制御する。
【０２７３】
例えば、増減速時のナイフロール等でのカット時のシートテンションコントロールを各シートの伸び易さや引張り強度に合わせを行う。
【０２７４】
このように、サーボモータなどにより各ロールの周速を各々電子制御により調整することにより、シートの張力に合わせ周速差を変更することができ、これによりシートを保持、受け渡しタイミング等を常に一定に保つことが可能となり高速化することが可能となる。
【０２７５】
これは、ロール数が多い構成を採る折り畳み機構部の場合に特に有効である。
【０２７６】
次に、ナイフロールやカッター刃を用いてシートのカットをするように構成するとともに、プレッシャーロールやプルロールを設置し、シートカット時に二次連続シートの一部を保持するように構成する。これにより、シートカット時のシートズレが防止され高速化することが可能となる。さらに、サーボモータと組み合わせ、ナイフロールでシートがカットされる時点で、サーボモータにより各ロールとの周速差を的確に調整すればより一層の高速化が可能となる。また、バキューム孔によるシート保持と併用すればよりシートテンションを的確にコントロールでき高速運転が可能になる。
【０２７７】
次に、ナイフロール等でシートがカットされた時点以降、折り畳まれる直前まで、バキューム等によりカットされたシートをロール上に貼りつくようにロールからロールへ搬送することで、シートのずれがなく、高速にきれいに折り畳むことが可能となる。（シートをオーバーラップさせる場合でも、カットシートの前後端部は保持され、その他のほとんどの部分はロールに接しシートの形成は一定である。）
【０２７８】
次に、ニップ間隔の長い中間ロール（移送ロール、遅延ロール、ラップロールや機構部例４、５のフォールディングロール）はバキューム孔を複数設け、さらにバキューム領域や真空源を２つ以上とし、カットシートの前後端部、カットシートの前後端部の間の吸引力を制御する。例えば、均等にＭＤ方向３点で、ＣＤ方向に径数ｍｍのバキューム孔（真空吸引口）を均等に５〜３０個／１００〜２００ｍｍ間隔配置すると、遠心力や回転による風で位置ずれが生じず、また、ロール間のカットシートの受け渡し精度が高まり高速化が可能となる。
【０２７９】
合わせて、機構部例１、２のように前後シートの一部を重ね合わせる構成を採用することでも高速化が可能となる。
【０２８０】
『収納工程』
次いで、ティシュペーパー束の収納箱への収納例について説明する。なお、ティシュぺーパー束１０の収納箱２への収納方法は、この例に限定されず既知の方法を採用することができる。
【０２８１】
ロータリー式インターフォルダにて形成されたティシュペーパー束１０は、図２８に示すように、ロータリー式インターフォルダＸ４の後段の収納設備において収納箱２に収納される。
【０２８２】
具体的には、上述の上面２Ｕ、底面及びこれらを連接する側面２Ｓと、各面の長手方向両側縁に連接された底面側端面片２３Ｂ、側面端面片２３Ｓ、上面側端面片２３Ｕとを有する収納箱を、底面側端面片２３Ｂ、側面端面片２３Ｓ、上面側端面片２３Ｕが開いた状態、すなわち端面が開口された状態に半完成の状態に組立てるとともに、その開口部に対面するようにインターフォルダＸ４から送られてくるティシュペーパー束１０の裁断面を付き合わせる。
【０２８３】
そして付き合わせたならば、ティシュペーパー束１０をプッシュロッド等によって収納箱内へ押し込む。ティシュペーパー束１０が収納箱内に押し込まれたら、前記側面端面片２３Ｓを箱内面側に折り返した後、これに重ねて上面側端面片２３Ｕと底面側端面片２３Ｂとを折り曲げ、各片の当接部分をホットメルト接着材等により接着する。
【０２８４】
この接着によって本発明のティシュペーパー製品Ｘ１の製造は完了する。
【０２８５】
なお、本発明にかかるロータリー式インターフォルダＸ４により製造したティシュペーパー束１０を構成するティシュペーパー１の紙の方向は、図示のとおり、ティシュペーパー１の折り畳み部の延在方向に沿って横方向（ＣＤ方向）となり、ティシュペーパーの折り畳み部の延在方向と直交する方向に沿って縦方向（ＭＤ方向）となる。
【０２８６】
したがって、上述のように収納箱２に収納された本発明によって製造されるティシュペーパー製品Ｘ１は、図２に示すように、ティシュペーパー１を収納箱２から引き出す際には、その引き出し方向がティシュペーパーの縦方向（ＭＤ方向）と沿うようになっている。
【実施例】
【０２８７】
次いで、本発明の実施例及び比較例を下記表１〜５に示す。表１〜表５の下三欄に示されるとおり、プライマシンで一次塗布を行い、ロータリー式インターフォルダで二次塗布する本発明の実施例にかかる方法は、かかる方法を採らない比較例と比べて、操業性及び製品品質において優位性が認められる。
【０２８８】
【表１】
0005619517.tif 000002
【０２８９】
【表２】
0005619517.tif 000003
【０２９０】
【表３】
0005619517.tif 000004
【０２９１】
【表４】
0005619517.tif 000005
【０２９２】
【表５】
0005619517.tif 000006
【符号の説明】
【０２９３】
Ｘ１…ティシュペーパー製品、１…ティシュペーパー、１ｅ…ティシュペーパーの折り返し辺の縁、１０…ティシュペーパー束、２…収納箱、２Ｕ…収納箱（紙箱）上面、２Ｓ…収納箱（紙箱）の側面、２０Ｌ…収納箱（紙箱）の長手縁、２０Ｓ…収納箱（紙箱）の短手縁、２１…取出口形成部（ミシン目線）、２２…フィルム、２３Ｂ…底面側端面片、２３Ｓ…側面端面片、２３Ｕ…上面側端面片、２４…スリット、２５…取出口、
Ｘ２…抄紙設備、ＪＲ…一次原反ロール（ジャンボロール）、Ｗ…湿紙、Ｓ１…乾燥原紙（一次連続シート）、３１…ヘッドボックス、３２…ワイヤーパート、３２ｗ…ワイヤ、３３３…プレスパート、３３Ｆ…フェルト、３４，３５…脱水ロール、３６…ヤンキードライヤー、３６Ｃ…ヤンキードライヤーフード、３７…ドクターブレード、３８…巻き取り手段、３９…ワインディングドラム。
Ｘ３…プライマシン、Ｓ１１，Ｓ１２…一次連続シート、Ｓ２…二次連続シート、５１…重ね合わせ部、５６…巻き取り手段、５６Ａ…ワインディングドラム、５２…カレンダー部、８１…一次薬液塗布手段、
Ｘ４…ロータリー式インターフォルダ、Ｓ３…二次連続シート、Ｓ４…裁断されたシート、８０…原反ロール支持部、８１，８２…二次薬液塗布手段、８５…折り畳み機構部、８６…トリム手段、８７…トリムスリッター、８８…皺取りロール、
９１Ａ〜９１Ｆ…フレキソ印刷機、９２Ａ，９２Ｂ…ドクターチャンバー、９２Ｃ，９２Ｄ…ディップロール（絞りロール）、９３Ａ，９３Ｂ，９３Ｃ，９３Ｄ…アニロックスロール、９４Ａ，９４Ｂ，９４Ｃ，９４Ｄ…刷版ロール、９５Ａ，９５Ｂ，９５Ｃ，９５Ｄ…弾性ロール、９６…供給ホース、９７…返送ホース、９８…貯留タンク、９８Ｃ，９８Ｄ…薬液タンク、９９…供給ポンプ、１００…調整弁、１０１…吸引ポンプ、１０２…チャンバー部、１０３，１０４…ブレード、１０５…供給ホースとチャンバー部との接続部、１０６…返送ホースとチャンバー部との接続部、１０６ａ…孔部、１０６ｂ…判別手段（チューブ）、１０６ｃ…円筒状部、１０６ｄ…センサ、１０６ｅ…報知部、１０６…調整部、
１１０…二流体方式のノズル式水系薬液噴霧装置、１１０Ａ…水系薬液通路、１１０Ｂ、１１０Ｆ…エアー通路、１１０Ｃ、１１０Ｅ…保護ケーシング、１１０Ｄ…パージエアー通路、１１０Ｇ…圧空、１４０…ローダーダンプニング噴霧装置、１４１…ローターダンプニングユニット、１４２…噴射部、１４３…流体室、１４４…噴射口、１４５…シャッター。
１３０…インクジェット、１３２…インクジェットヘッド、１３３…ノズル板、１３４…ノズル孔、１３５…噴射ユニット、１３６…流体室、１３７…振動板、１３８…制御装置、Ｌ…水系薬液、
７１…ベッドロール、７１Ａ…移送ロール、７１ａ…受け部、７１ｂ…溝部、７１ｃ…突起部、７２…ナイフロール、７２Ｃ…カッター刃、７２ａ…溝部、７３，７３Ａ…ラップロール、７３Ｂ…カウントロール、７４…テールロール、７５…フォールディングロール、７５ａ…溝部、７６…プレッシャーロール、７７…スリット手段、７８Ａ…第１プルロール、７８Ｂ…第２プルロール、７９Ａ…遅延ロール、７９Ｂ…ニップロール、Ｒ…抑えロール、２７０…バキューム孔、２７１…真空源。
【図１】
0005619517.tif 000007
【図２】
0005619517.tif 000008
【図３】
0005619517.tif 000009
【図４】
0005619517.tif 000010
【図５】
0005619517.tif 000011
【図６】
0005619517.tif 000012
【図７】
0005619517.tif 000013
【図８】
0005619517.tif 000014
【図９】
0005619517.tif 000015
【図１０】
0005619517.tif 000016
【図１１】
0005619517.tif 000017
【図１２】
0005619517.tif 000018
【図１３】
0005619517.tif 000019
【図１４】
0005619517.tif 000020
【図１５】
0005619517.tif 000021
【図１６】
0005619517.tif 000022
【図１７】
0005619517.tif 000023
【図１８】
0005619517.tif 000024
【図１９】
0005619517.tif 000025
【図２０】
0005619517.tif 000026
【図２１】
0005619517.tif 000027
【図２２】
0005619517.tif 000028
【図２３】
0005619517.tif 000029
【図２４】
0005619517.tif 000030
【図２５】
0005619517.tif 000031
【図２６】
0005619517.tif 000032
【図２７】
0005619517.tif 000033
【図２８】
0005619517.tif 000034
【図２９】
0005619517.tif 000035
【図３０】
0005619517.tif 000036